(57)【特許請求の範囲】
【請求項１】
発光素子光源（１）と、発光素子光源（１）が搭載された基板（２）と、発光素子光源（１）からの光を導光する配光制御レンズ（３）とを具備し、
発光素子光源（１）の光軸（１’）と配光制御レンズ（３）の中心軸線（３’）とが概略一致し、かつ、発光素子光源（１）が基板（２）の前側表面（２ａ）と配光制御レンズ（３）の後側表面（３ａ）とによって覆われるように、発光素子光源（１）と基板（２）と配光制御レンズ（３）とを配置したデイタイムランニングランプ（１００）において、
基板（２）の前側表面（２ａ）と配光制御レンズ（３）の後側表面（３ａ）の最後部（３ａ１２）との間に隙間（ｔ１）を設け、
発光素子光源（１）からの光が入射する入射面（３ａ１）を配光制御レンズ（３）の後側表面（３ａ）に形成し、
配光制御レンズ（３）の入射面（３ａ１）からの光を内面反射する内面反射面（３ａ２）を配光制御レンズ（３）の後側表面（３ａ）に形成し、
配光制御レンズ（３）の内面反射面（３ａ２）からの反射光が配光制御レンズ（３）の中心軸線（３’）に概略平行な光になるように、配光制御レンズ（３）の入射面（３ａ１）および内面反射面（３ａ２）を設定し、
配光制御レンズ（３）の前側表面（３ｂ）のうち、配光制御レンズ（３）の中心軸線（３’）を中心とする概略円形の第１領域（Ａ１）内に、配光制御レンズ（３）の入射面（３ａ１）からの光を出射する第１出射面（３ｂ１）を形成し、
配光制御レンズ（３）の中心軸線（３’）上を進む光および配光制御レンズ（３）の中心軸線（３’）から遠ざかる側に進む光が配光制御レンズ（３）の第１出射面（３ｂ１）から照射されるように、かつ、配光制御レンズ（３）の第１出射面（３ｂ１）からの光によって横長の概略楕円形の配光パターン（Ｐ１）が形成されるように、配光制御レンズ（３）の第１出射面（３ｂ１）を設定し、
配光制御レンズ（３）の前側表面（３ｂ）のうち、第１領域（Ａ１）の径方向外側の環状の第２領域（Ａ２）内に、配光制御レンズ（３）の内面反射面（３ａ２）からの光を出射する第２出射面（３ｂ２）を形成し、
配光制御レンズ（３）の中心軸線（３’）に近づく側に進む光が配光制御レンズ（３）の第２出射面（３ｂ２）から照射されるように、かつ、配光制御レンズ（３）の第２出射面（３ｂ２）からの光によって概略円形の配光パターン（Ｐ２）が形成されるように、配光制御レンズ（３）の第２出射面（３ｂ２）を設定し、
概略円形の第１領域（Ａ１）のうち、配光制御レンズ（３）の中心軸線（３’）の右側の部分に、配光制御レンズ（３）の後側表面（３ａ）と前側表面（３ｂ）とを連通する第１貫通穴（３ａｂ１）を形成し、
概略円形の第１領域（Ａ１）のうち、配光制御レンズ（３）の中心軸線（３’）の上側の部分に、配光制御レンズ（３）の後側表面（３ａ）と前側表面（３ｂ）とを連通する第２貫通穴（３ａｂ２）を形成し、
概略円形の第１領域（Ａ１）のうち、配光制御レンズ（３）の中心軸線（３’）の左側の部分に、配光制御レンズ（３）の後側表面（３ａ）と前側表面（３ｂ）とを連通する第３貫通穴（３ａｂ３）を形成し、
概略円形の第１領域（Ａ１）のうち、配光制御レンズ（３）の中心軸線（３’）の下側の部分に、配光制御レンズ（３）の後側表面（３ａ）と前側表面（３ｂ）とを連通する第４貫通穴（３ａｂ４）を形成し、
配光制御レンズ（３）の前側表面（３ｂ）のうち、第２領域（Ａ２）の径方向外側の環状の第３領域（Ａ３）内に、配光制御レンズ（３）の内面反射面（３ａ２）からの光を出射する第３出射面（３ｂ３）を形成し、
配光制御レンズ（３）の中心軸線（３’）から遠ざかる側に進む光を出射する第１出射部（３ｂ３２４，３ｂ３０１）を、第３出射面（３ｂ３）のうち、第１貫通穴（３ａｂ１）の右側の部分に形成し、
配光制御レンズ（３）の中心軸線（３’）から遠ざかる側に進む光を出射する第２出射部（３ｂ３０６，３ｂ３０７）を、第３出射面（３ｂ３）のうち、第２貫通穴（３ａｂ２）の上側の部分に形成し、
配光制御レンズ（３）の中心軸線（３’）から遠ざかる側に進む光を出射する第３出射部（３ｂ３１２，３ｂ３１３）を、第３出射面（３ｂ３）のうち、第３貫通穴（３ａｂ３）の左側の部分に形成し、
配光制御レンズ（３）の中心軸線（３’）から遠ざかる側に進む光を出射する第４出射部（３ｂ３１８，３ｂ３１９）を、第３出射面（３ｂ３）のうち、第４貫通穴（３ａｂ４）の下側の部分に形成したことを特徴とするデイタイムランニングランプ（１００）。
【請求項２】
発光素子光源（１）と、発光素子光源（１）が搭載された基板（２）と、発光素子光源（１）からの光を導光する配光制御レンズ（３）とを具備し、
発光素子光源（１）の光軸（１’）と配光制御レンズ（３）の中心軸線（３’）とが概略一致し、かつ、発光素子光源（１）が基板（２）の前側表面（２ａ）と配光制御レンズ（３）の後側表面（３ａ）とによって覆われるように、発光素子光源（１）と基板（２）と配光制御レンズ（３）とを配置したデイタイムランニングランプ（１００）において、
基板（２）の前側表面（２ａ）と配光制御レンズ（３）の後側表面（３ａ）の最後部（３ａ１２）との間に隙間（ｔ１）を設け、
発光素子光源（１）からの光が入射する入射面（３ａ１）を配光制御レンズ（３）の後側表面（３ａ）に形成し、
配光制御レンズ（３）の入射面（３ａ１）からの光を内面反射する内面反射面（３ａ２）を配光制御レンズ（３）の後側表面（３ａ）に形成し、
配光制御レンズ（３）の内面反射面（３ａ２）からの反射光が配光制御レンズ（３）の中心軸線（３’）に概略平行な光になるように、配光制御レンズ（３）の入射面（３ａ１）および内面反射面（３ａ２）を設定し、
配光制御レンズ（３）の前側表面（３ｂ）のうち、配光制御レンズ（３）の中心軸線（３’）を中心とする概略円形の第１領域（Ａ１）内に、配光制御レンズ（３）の入射面（３ａ１）からの光を出射する第１出射面（３ｂ１）を形成し、
配光制御レンズ（３）の中心軸線（３’）上を進む光および配光制御レンズ（３）の中心軸線（３’）から遠ざかる側に進む光が配光制御レンズ（３）の第１出射面（３ｂ１）から照射されるように、かつ、配光制御レンズ（３）の第１出射面（３ｂ１）からの光によって横長の概略楕円形の配光パターン（Ｐ１）が形成されるように、配光制御レンズ（３）の第１出射面（３ｂ１）を設定し、
概略円形の第１領域（Ａ１）のうち、配光制御レンズ（３）の中心軸線（３’）の右側の部分に、配光制御レンズ（３）の後側表面（３ａ）と前側表面（３ｂ）とを連通する第１貫通穴（３ａｂ１）を形成し、
概略円形の第１領域（Ａ１）のうち、配光制御レンズ（３）の中心軸線（３’）の上側の部分に、配光制御レンズ（３）の後側表面（３ａ）と前側表面（３ｂ）とを連通する第２貫通穴（３ａｂ２）を形成し、
概略円形の第１領域（Ａ１）のうち、配光制御レンズ（３）の中心軸線（３’）の左側の部分に、配光制御レンズ（３）の後側表面（３ａ）と前側表面（３ｂ）とを連通する第３貫通穴（３ａｂ３）を形成し、
概略円形の第１領域（Ａ１）のうち、配光制御レンズ（３）の中心軸線（３’）の下側の部分に、配光制御レンズ（３）の後側表面（３ａ）と前側表面（３ｂ）とを連通する第４貫通穴（３ａｂ４）を形成し、
配光制御レンズ（３）の前側表面（３ｂ）のうち、第１領域（Ａ１）の径方向外側の環状の第２領域（Ａ２）内に、配光制御レンズ（３）の内面反射面（３ａ２）からの光を出射する第２出射面（３ｂ２）を形成し、
配光制御レンズ（３）の中心軸線（３’）から遠ざかる側に進む光を出射する第１出射部（３ｂ２２４，３ｂ２０１）を、第２出射面（３ｂ２）のうち、第１貫通穴（３ａｂ１）の右側の部分に形成し、
配光制御レンズ（３）の中心軸線（３’）から遠ざかる側に進む光を出射する第２出射部（３ｂ２０６，３ｂ２０７）を、第２出射面（３ｂ２）のうち、第２貫通穴（３ａｂ２）の上側の部分に形成し、
配光制御レンズ（３）の中心軸線（３’）から遠ざかる側に進む光を出射する第３出射部（３ｂ２１２，３ｂ２１３）を、第２出射面（３ｂ２）のうち、第３貫通穴（３ａｂ３）の左側の部分に形成し、
配光制御レンズ（３）の中心軸線（３’）から遠ざかる側に進む光を出射する第４出射部（３ｂ２１８，３ｂ２１９）を、第２出射面（３ｂ２）のうち、第４貫通穴（３ａｂ４）の下側の部分に形成し、
配光制御レンズ（３）の前側表面（３ｂ）のうち、第２領域（Ａ２）の径方向外側の環状の第３領域（Ａ３）内に、配光制御レンズ（３）の内面反射面（３ａ２）からの光を出射する第３出射面（３ｂ３）を形成し、
配光制御レンズ（３）の中心軸線（３’）に近づく側に進む光が配光制御レンズ（３）の第３出射面（３ｂ３）から照射されるように、かつ、配光制御レンズ（３）の第３出射面（３ｂ３）からの光によって概略円形の配光パターン（Ｐ２）が形成されるように、配光制御レンズ（３）の第３出射面（３ｂ３）を設定したことを特徴とするデイタイムランニングランプ（１００）。
【発明の詳細な説明】
【技術分野】
【０００１】
本発明は、発光素子光源の光軸と配光制御レンズの中心軸線とが概略一致し、かつ、発光素子光源が基板の前側表面と配光制御レンズの後側表面とによって覆われるように、発光素子光源と基板と配光制御レンズとが配置されているデイタイムランニングランプに関する。
【０００２】
特に、本発明は、基板の前側表面と配光制御レンズの後側表面とによって覆われている発光素子光源の昇温を十分に抑制しつつ、所望のデイタイムランニングランプ用配光パターンを形成することができるデイタイムランニングランプに関する。
【背景技術】
【０００３】
従来から、発光素子光源と、発光素子光源が搭載された基板と、発光素子光源からの光を導光する配光制御レンズとが設けられており、発光素子光源の光軸と配光制御レンズの中心軸線とが概略一致し、かつ、発光素子光源が基板の前側表面と配光制御レンズの後側表面とによって覆われるように、発光素子光源と基板と配光制御レンズとが配置されているデイタイムランニングランプが知られている。この種のデイタイムランニングランプの例としては、例えば特許文献１（特開２００８−８４５５２号公報）の図２に記載されたものがある。
【０００４】
特許文献１の図２に記載されたデイタイムランニングランプでは、配光制御レンズから照射される光により、デイタイムランニングランプ配光規格を満足する配光パターンを形成することができる。
【先行技術文献】
【特許文献】
【０００５】
【特許文献１】特開２００８−８４５５２号公報
【発明の概要】
【発明が解決しようとする課題】
【０００６】
ところで、特許文献１の図２に記載されたデイタイムランニングランプでは、基板の前側表面と配光制御レンズの後側表面の最後部との間に隙間が設けられていない。本発明者が鋭意研究を行った結果、特許文献１の図２に記載されたデイタイムランニングランプのように、基板の前側表面と配光制御レンズの後側表面の最後部との間に隙間が設けられていない場合には、基板の前側表面と配光制御レンズの後側表面とによって覆われている発光素子光源の昇温を十分に抑制できないおそれがあると考えられる。
【０００７】
前記問題点に鑑み、本発明は、基板の前側表面と配光制御レンズの後側表面とによって覆われている発光素子光源の昇温を十分に抑制しつつ、所望のデイタイムランニングランプ用配光パターンを形成することができるデイタイムランニングランプを提供することを目的とする。
【課題を解決するための手段】
【０００８】
請求項１に記載の発明によれば、発光素子光源（１）と、発光素子光源（１）が搭載された基板（２）と、発光素子光源（１）からの光を導光する配光制御レンズ（３）とを具備し、
発光素子光源（１）の光軸（１’）と配光制御レンズ（３）の中心軸線（３’）とが概略一致し、かつ、発光素子光源（１）が基板（２）の前側表面（２ａ）と配光制御レンズ（３）の後側表面（３ａ）とによって覆われるように、発光素子光源（１）と基板（２）と配光制御レンズ（３）とを配置したデイタイムランニングランプ（１００）において、
基板（２）の前側表面（２ａ）と配光制御レンズ（３）の後側表面（３ａ）の最後部（３ａ１２）との間に隙間（ｔ１）を設け、
発光素子光源（１）からの光が入射する入射面（３ａ１）を配光制御レンズ（３）の後側表面（３ａ）に形成し、
配光制御レンズ（３）の入射面（３ａ１）からの光を内面反射する内面反射面（３ａ２）を配光制御レンズ（３）の後側表面（３ａ）に形成し、
配光制御レンズ（３）の内面反射面（３ａ２）からの反射光が配光制御レンズ（３）の中心軸線（３’）に概略平行な光になるように、配光制御レンズ（３）の入射面（３ａ１）および内面反射面（３ａ２）を設定し、
配光制御レンズ（３）の前側表面（３ｂ）のうち、配光制御レンズ（３）の中心軸線（３’）を中心とする概略円形の第１領域（Ａ１）内に、配光制御レンズ（３）の入射面（３ａ１）からの光を出射する第１出射面（３ｂ１）を形成し、
配光制御レンズ（３）の中心軸線（３’）上を進む光および配光制御レンズ（３）の中心軸線（３’）から遠ざかる側に進む光が配光制御レンズ（３）の第１出射面（３ｂ１）から照射されるように、かつ、配光制御レンズ（３）の第１出射面（３ｂ１）からの光によって横長の概略楕円形の配光パターン（Ｐ１）が形成されるように、配光制御レンズ（３）の第１出射面（３ｂ１）を設定し、
配光制御レンズ（３）の前側表面（３ｂ）のうち、第１領域（Ａ１）の径方向外側の環状の第２領域（Ａ２）内に、配光制御レンズ（３）の内面反射面（３ａ２）からの光を出射する第２出射面（３ｂ２）を形成し、
配光制御レンズ（３）の中心軸線（３’）に近づく側に進む光が配光制御レンズ（３）の第２出射面（３ｂ２）から照射されるように、かつ、配光制御レンズ（３）の第２出射面（３ｂ２）からの光によって概略円形の配光パターン（Ｐ２）が形成されるように、配光制御レンズ（３）の第２出射面（３ｂ２）を設定し、
概略円形の第１領域（Ａ１）のうち、配光制御レンズ（３）の中心軸線（３’）の右側の部分に、配光制御レンズ（３）の後側表面（３ａ）と前側表面（３ｂ）とを連通する第１貫通穴（３ａｂ１）を形成し、
概略円形の第１領域（Ａ１）のうち、配光制御レンズ（３）の中心軸線（３’）の上側の部分に、配光制御レンズ（３）の後側表面（３ａ）と前側表面（３ｂ）とを連通する第２貫通穴（３ａｂ２）を形成し、
概略円形の第１領域（Ａ１）のうち、配光制御レンズ（３）の中心軸線（３’）の左側の部分に、配光制御レンズ（３）の後側表面（３ａ）と前側表面（３ｂ）とを連通する第３貫通穴（３ａｂ３）を形成し、
概略円形の第１領域（Ａ１）のうち、配光制御レンズ（３）の中心軸線（３’）の下側の部分に、配光制御レンズ（３）の後側表面（３ａ）と前側表面（３ｂ）とを連通する第４貫通穴（３ａｂ４）を形成し、
配光制御レンズ（３）の前側表面（３ｂ）のうち、第２領域（Ａ２）の径方向外側の環状の第３領域（Ａ３）内に、配光制御レンズ（３）の内面反射面（３ａ２）からの光を出射する第３出射面（３ｂ３）を形成し、
配光制御レンズ（３）の中心軸線（３’）から遠ざかる側に進む光を出射する第１出射部（３ｂ３２４，３ｂ３０１）を、第３出射面（３ｂ３）のうち、第１貫通穴（３ａｂ１）の右側の部分に形成し、
配光制御レンズ（３）の中心軸線（３’）から遠ざかる側に進む光を出射する第２出射部（３ｂ３０６，３ｂ３０７）を、第３出射面（３ｂ３）のうち、第２貫通穴（３ａｂ２）の上側の部分に形成し、
配光制御レンズ（３）の中心軸線（３’）から遠ざかる側に進む光を出射する第３出射部（３ｂ３１２，３ｂ３１３）を、第３出射面（３ｂ３）のうち、第３貫通穴（３ａｂ３）の左側の部分に形成し、
配光制御レンズ（３）の中心軸線（３’）から遠ざかる側に進む光を出射する第４出射部（３ｂ３１８，３ｂ３１９）を、第３出射面（３ｂ３）のうち、第４貫通穴（３ａｂ４）の下側の部分に形成したことを特徴とするデイタイムランニングランプ（１００）が提供される。
【０００９】
請求項２に記載の発明によれば、発光素子光源（１）と、発光素子光源（１）が搭載された基板（２）と、発光素子光源（１）からの光を導光する配光制御レンズ（３）とを具備し、
発光素子光源（１）の光軸（１’）と配光制御レンズ（３）の中心軸線（３’）とが概略一致し、かつ、発光素子光源（１）が基板（２）の前側表面（２ａ）と配光制御レンズ（３）の後側表面（３ａ）とによって覆われるように、発光素子光源（１）と基板（２）と配光制御レンズ（３）とを配置したデイタイムランニングランプ（１００）において、
基板（２）の前側表面（２ａ）と配光制御レンズ（３）の後側表面（３ａ）の最後部（３ａ１２）との間に隙間（ｔ１）を設け、
発光素子光源（１）からの光が入射する入射面（３ａ１）を配光制御レンズ（３）の後側表面（３ａ）に形成し、
配光制御レンズ（３）の入射面（３ａ１）からの光を内面反射する内面反射面（３ａ２）を配光制御レンズ（３）の後側表面（３ａ）に形成し、
配光制御レンズ（３）の内面反射面（３ａ２）からの反射光が配光制御レンズ（３）の中心軸線（３’）に概略平行な光になるように、配光制御レンズ（３）の入射面（３ａ１）および内面反射面（３ａ２）を設定し、
配光制御レンズ（３）の前側表面（３ｂ）のうち、配光制御レンズ（３）の中心軸線（３’）を中心とする概略円形の第１領域（Ａ１）内に、配光制御レンズ（３）の入射面（３ａ１）からの光を出射する第１出射面（３ｂ１）を形成し、
配光制御レンズ（３）の中心軸線（３’）上を進む光および配光制御レンズ（３）の中心軸線（３’）から遠ざかる側に進む光が配光制御レンズ（３）の第１出射面（３ｂ１）から照射されるように、かつ、配光制御レンズ（３）の第１出射面（３ｂ１）からの光によって横長の概略楕円形の配光パターン（Ｐ１）が形成されるように、配光制御レンズ（３）の第１出射面（３ｂ１）を設定し、
概略円形の第１領域（Ａ１）のうち、配光制御レンズ（３）の中心軸線（３’）の右側の部分に、配光制御レンズ（３）の後側表面（３ａ）と前側表面（３ｂ）とを連通する第１貫通穴（３ａｂ１）を形成し、
概略円形の第１領域（Ａ１）のうち、配光制御レンズ（３）の中心軸線（３’）の上側の部分に、配光制御レンズ（３）の後側表面（３ａ）と前側表面（３ｂ）とを連通する第２貫通穴（３ａｂ２）を形成し、
概略円形の第１領域（Ａ１）のうち、配光制御レンズ（３）の中心軸線（３’）の左側の部分に、配光制御レンズ（３）の後側表面（３ａ）と前側表面（３ｂ）とを連通する第３貫通穴（３ａｂ３）を形成し、
概略円形の第１領域（Ａ１）のうち、配光制御レンズ（３）の中心軸線（３’）の下側の部分に、配光制御レンズ（３）の後側表面（３ａ）と前側表面（３ｂ）とを連通する第４貫通穴（３ａｂ４）を形成し、
配光制御レンズ（３）の前側表面（３ｂ）のうち、第１領域（Ａ１）の径方向外側の環状の第２領域（Ａ２）内に、配光制御レンズ（３）の内面反射面（３ａ２）からの光を出射する第２出射面（３ｂ２）を形成し、
配光制御レンズ（３）の中心軸線（３’）から遠ざかる側に進む光を出射する第１出射部（３ｂ２２４，３ｂ２０１）を、第２出射面（３ｂ２）のうち、第１貫通穴（３ａｂ１）の右側の部分に形成し、
配光制御レンズ（３）の中心軸線（３’）から遠ざかる側に進む光を出射する第２出射部（３ｂ２０６，３ｂ２０７）を、第２出射面（３ｂ２）のうち、第２貫通穴（３ａｂ２）の上側の部分に形成し、
配光制御レンズ（３）の中心軸線（３’）から遠ざかる側に進む光を出射する第３出射部（３ｂ２１２，３ｂ２１３）を、第２出射面（３ｂ２）のうち、第３貫通穴（３ａｂ３）の左側の部分に形成し、
配光制御レンズ（３）の中心軸線（３’）から遠ざかる側に進む光を出射する第４出射部（３ｂ２１８，３ｂ２１９）を、第２出射面（３ｂ２）のうち、第４貫通穴（３ａｂ４）の下側の部分に形成し、
配光制御レンズ（３）の前側表面（３ｂ）のうち、第２領域（Ａ２）の径方向外側の環状の第３領域（Ａ３）内に、配光制御レンズ（３）の内面反射面（３ａ２）からの光を出射する第３出射面（３ｂ３）を形成し、
配光制御レンズ（３）の中心軸線（３’）に近づく側に進む光が配光制御レンズ（３）の第３出射面（３ｂ３）から照射されるように、かつ、配光制御レンズ（３）の第３出射面（３ｂ３）からの光によって概略円形の配光パターン（Ｐ２）が形成されるように、配光制御レンズ（３）の第３出射面（３ｂ３）を設定したことを特徴とするデイタイムランニングランプ（１００）が提供される。
【発明の効果】
【００１０】
請求項１に記載のデイタイムランニングランプ（１００）では、発光素子光源（１）と、発光素子光源（１）が搭載された基板（２）と、発光素子光源（１）からの光を導光する配光制御レンズ（３）とが設けられている。また、発光素子光源（１）の光軸（１’）と配光制御レンズ（３）の中心軸線（３’）とが概略一致し、かつ、発光素子光源（１）が基板（２）の前側表面（２ａ）と配光制御レンズ（３）の後側表面（３ａ）とによって覆われるように、発光素子光源（１）と基板（２）と配光制御レンズ（３）とが配置されている。
【００１１】
詳細には、請求項１に記載のデイタイムランニングランプ（１００）では、基板（２）の前側表面（２ａ）と配光制御レンズ（３）の後側表面（３ａ）の最後部（３ａ１２）との間に隙間（ｔ１）が設けられている。そのため、請求項１に記載のデイタイムランニングランプ（１００）によれば、基板（２）の前側表面（２ａ）と配光制御レンズ（３）の後側表面（３ａ）の最後部（３ａ１２）との間に隙間（ｔ１）が設けられていない場合よりも、基板（２）の前側表面（２ａ）と配光制御レンズ（３）の後側表面（３ａ）とによって覆われている発光素子光源（１）の昇温を抑制することができる。
【００１２】
更に、請求項１に記載のデイタイムランニングランプ（１００）では、発光素子光源（１）からの光が入射する入射面（３ａ１）が、配光制御レンズ（３）の後側表面（３ａ）に形成されている。また、配光制御レンズ（３）の入射面（３ａ１）からの光を内面反射する内面反射面（３ａ２）が配光制御レンズ（３）の後側表面（３ａ）に形成されている。更に、配光制御レンズ（３）の内面反射面（３ａ２）からの反射光が配光制御レンズ（３）の中心軸線（３’）に概略平行な光になるように、配光制御レンズ（３）の入射面（３ａ１）および内面反射面（３ａ２）が設定されている。
【００１３】
また、請求項１に記載のデイタイムランニングランプ（１００）では、配光制御レンズ（３）の前側表面（３ｂ）のうち、配光制御レンズ（３）の中心軸線（３’）を中心とする概略円形の第１領域（Ａ１）内に、配光制御レンズ（３）の入射面（３ａ１）からの光を出射する第１出射面（３ｂ１）が形成されている。更に、配光制御レンズ（３）の中心軸線（３’）上を進む光（Ｌ１０１ａ）および配光制御レンズ（３）の中心軸線（３’）から遠ざかる側に進む光（Ｌ１０１ｂ，Ｌ１０１ｃ，Ｌ１０１ｄ，Ｌ１０１ｅ）が配光制御レンズ（３）の第１出射面（３ｂ１）から照射されるように、かつ、配光制御レンズ（３）の第１出射面（３ｂ１）からの光（Ｌ１０１ａ，Ｌ１０１ｂ，Ｌ１０１ｃ，Ｌ１０１ｄ，Ｌ１０１ｅ）によって横長の概略楕円形の配光パターン（Ｐ１）が形成されるように、配光制御レンズ（３）の第１出射面（３ｂ１）が設定されている。
【００１４】
更に、請求項１に記載のデイタイムランニングランプ（１００）では、配光制御レンズ（３）の前側表面（３ｂ）のうち、第１領域（Ａ１）の径方向外側の環状の第２領域（Ａ２）内に、配光制御レンズ（３）の内面反射面（３ａ２）からの光を出射する第２出射面（３ｂ２）が形成されている。また、配光制御レンズ（３）の中心軸線（３’）に近づく側に進む光（Ｌ２０１，Ｌ２０６，Ｌ２０７，Ｌ２１２，Ｌ２１３，Ｌ２１８，Ｌ２１９，Ｌ２２４）が配光制御レンズ（３）の第２出射面（３ｂ２）から照射されるように、かつ、配光制御レンズ（３）の第２出射面（３ｂ２）からの光（Ｌ２０１，Ｌ２０６，Ｌ２０７，Ｌ２１２，Ｌ２１３，Ｌ２１８，Ｌ２１９，Ｌ２２４）によって概略円形の配光パターン（Ｐ２）が形成されるように、配光制御レンズ（３）の第２出射面（３ｂ２）が設定されている。
【００１５】
つまり、請求項１に記載のデイタイムランニングランプ（１００）では、配光制御レンズ（３）の第１出射面（３ｂ１）からの光（Ｌ１０１ａ，Ｌ１０１ｂ，Ｌ１０１ｃ，Ｌ１０１ｄ，Ｌ１０１ｅ）によって形成される横長の概略楕円形の配光パターン（Ｐ１）と、配光制御レンズ（３）の第２出射面（３ｂ２）からの光（Ｌ２０１，Ｌ２０６，Ｌ２０７，Ｌ２１２，Ｌ２１３，Ｌ２１８，Ｌ２１９，Ｌ２２４）によって形成される概略円形の配光パターン（Ｐ２）とを重ね合わせることにより、デイタイムランニングランプ配光規格を満足するデイタイムランニングランプ用配光パターン（Ｐ）が形成される。
【００１６】
ところで、本発明者の鋭意研究により、基板（２）の前側表面（２ａ）と配光制御レンズ（３）の後側表面（３ａ）の最後部（３ａ１２）との間に隙間（ｔ１）を設けただけでは、基板（２）の前側表面（２ａ）と配光制御レンズ（３）の後側表面（３ａ）とによって覆われている発光素子光源（１）の昇温を十分に抑制することができないことが確認された。
【００１７】
そこで、請求項１に記載のデイタイムランニングランプ（１００）では、概略円形の第１領域（Ａ１）のうち、配光制御レンズ（３）の中心軸線（３’）の右側の部分に、配光制御レンズ（３）の後側表面（３ａ）と前側表面（３ｂ）とを連通する第１貫通穴（３ａｂ１）が形成されている。また、概略円形の第１領域（Ａ１）のうち、配光制御レンズ（３）の中心軸線（３’）の上側の部分に、配光制御レンズ（３）の後側表面（３ａ）と前側表面（３ｂ）とを連通する第２貫通穴（３ａｂ２）が形成されている。更に、概略円形の第１領域（Ａ１）のうち、配光制御レンズ（３）の中心軸線（３’）の左側の部分に、配光制御レンズ（３）の後側表面（３ａ）と前側表面（３ｂ）とを連通する第３貫通穴（３ａｂ３）が形成されている。また、概略円形の第１領域（Ａ１）のうち、配光制御レンズ（３）の中心軸線（３’）の下側の部分に、配光制御レンズ（３）の後側表面（３ａ）と前側表面（３ｂ）とを連通する第４貫通穴（３ａｂ４）が形成されている。
【００１８】
そのため、請求項１に記載のデイタイムランニングランプ（１００）によれば、基板（２）の前側表面（２ａ）と配光制御レンズ（３）の後側表面（３ａ）の入射面（３ａ１）との間の空間内の熱のこもりを抑制することができ、それにより、基板（２）の前側表面（２ａ）と配光制御レンズ（３）の後側表面（３ａ）とによって覆われている発光素子光源（１）の昇温を十分に抑制することができる。
【００１９】
ところで、概略円形の第１領域（Ａ１）のうち、配光制御レンズ（３）の中心軸線（３’）の右側の部分に、配光制御レンズ（３）の後側表面（３ａ）と前側表面（３ｂ）とを連通する第１貫通穴（３ａｂ１）を形成すると、配光制御レンズ（３）の中心軸線（３’）から右側に遠ざかりながら進む光（Ｌ１０６ａ）が不足してしまうおそれがある。
【００２０】
そこで、請求項１に記載のデイタイムランニングランプ（１００）では、配光制御レンズ（３）の前側表面（３ｂ）のうち、第２領域（Ａ２）の径方向外側の環状の第３領域（Ａ３）内に、配光制御レンズ（３）の内面反射面（３ａ２）からの光を出射する第３出射面（３ｂ３）が形成されている。更に、配光制御レンズ（３）の中心軸線（３’）から遠ざかる側に進む光（Ｌ３２４，Ｌ３０１）を出射する第１出射部（３ｂ３２４，３ｂ３０１）が、第３出射面（３ｂ３）のうち、第１貫通穴（３ａｂ１）の右側の部分に形成されている。
【００２１】
つまり、請求項１に記載のデイタイムランニングランプ（１００）では、第１貫通穴（３ａｂ１）を形成するのに伴って不足する配光制御レンズ（３）の中心軸線（３’）から右側に遠ざかりながら進む光（Ｌ１０６ａ）を補うために、第３出射面（３ｂ３）の第１出射部（３ｂ３２４，３ｂ３０１）が設けられている。
【００２２】
更に、概略円形の第１領域（Ａ１）のうち、配光制御レンズ（３）の中心軸線（３’）の上側の部分に、配光制御レンズ（３）の後側表面（３ａ）と前側表面（３ｂ）とを連通する第２貫通穴（３ａｂ２）を形成すると、配光制御レンズ（３）の中心軸線（３’）から上側に遠ざかりながら進む光（Ｌ１０６ｂ）が不足してしまうおそれがある。
【００２３】
そこで、請求項１に記載のデイタイムランニングランプ（１００）では、配光制御レンズ（３）の中心軸線（３’）から遠ざかる側に進む光（Ｌ３０６，Ｌ３０７）を出射する第２出射部（３ｂ３０６，３ｂ３０７）が、第３出射面（３ｂ３）のうち、第２貫通穴（３ａｂ２）の上側の部分に形成されている。
【００２４】
つまり、請求項１に記載のデイタイムランニングランプ（１００）では、第２貫通穴（３ａｂ２）を形成するのに伴って不足する配光制御レンズ（３）の中心軸線（３’）から上側に遠ざかりながら進む光（Ｌ１０６ｂ）を補うために、第３出射面（３ｂ３）の第２出射部（３ｂ３０６，３ｂ３０７）が設けられている。
【００２５】
また、概略円形の第１領域（Ａ１）のうち、配光制御レンズ（３）の中心軸線（３’）の左側の部分に、配光制御レンズ（３）の後側表面（３ａ）と前側表面（３ｂ）とを連通する第３貫通穴（３ａｂ３）を形成すると、配光制御レンズ（３）の中心軸線（３’）から左側に遠ざかりながら進む光（Ｌ１０６ｃ）が不足してしまうおそれがある。
【００２６】
そこで、請求項１に記載のデイタイムランニングランプ（１００）では、配光制御レンズ（３）の中心軸線（３’）から遠ざかる側に進む光（Ｌ３１２，Ｌ３１３）を出射する第３出射部（３ｂ３１２，３ｂ３１３）が、第３出射面（３ｂ３）のうち、第３貫通穴（３ａｂ３）の左側の部分に形成されている。
【００２７】
つまり、請求項１に記載のデイタイムランニングランプ（１００）では、第３貫通穴（３ａｂ３）を形成するのに伴って不足する配光制御レンズ（３）の中心軸線（３’）から左側に遠ざかりながら進む光（Ｌ１０６ｃ）を補うために、第３出射面（３ｂ３）の第３出射部（３ｂ３１２，３ｂ３１３）が設けられている。
【００２８】
更に、概略円形の第１領域（Ａ１）のうち、配光制御レンズ（３）の中心軸線（３’）の下側の部分に、配光制御レンズ（３）の後側表面（３ａ）と前側表面（３ｂ）とを連通する第４貫通穴（３ａｂ４）を形成すると、配光制御レンズ（３）の中心軸線（３’）から下側に遠ざかりながら進む光（Ｌ１０６ｄ）が不足してしまうおそれがある。
【００２９】
そこで、請求項１に記載のデイタイムランニングランプ（１００）では、配光制御レンズ（３）の中心軸線（３’）から遠ざかる側に進む光（Ｌ３１８，Ｌ３１９）を出射する第４出射部（３ｂ３１８，３ｂ３１９）が、第３出射面（３ｂ３）のうち、第４貫通穴（３ａｂ４）の下側の部分に形成されている。
【００３０】
つまり、請求項１に記載のデイタイムランニングランプ（１００）では、第４貫通穴（３ａｂ４）を形成するのに伴って不足する配光制御レンズ（３）の中心軸線（３’）から下側に遠ざかりながら進む光（Ｌ１０６ｄ）を補うために、第３出射面（３ｂ３）の第４出射部（３ｂ３１８，３ｂ３１９）が設けられている。
【００３１】
そのため、請求項１に記載のデイタイムランニングランプ（１００）によれば、配光制御レンズ（３）の第１領域（Ａ１）に第１貫通穴（３ａｂ１）、第２貫通穴（３ａｂ２）、第３貫通穴（３ａｂ３）および第４貫通穴（３ａｂ４）を形成するのに伴って不足する配光制御レンズ（３）の第１領域（Ａ１）の第１出射面（３ｂ１）からの光（Ｌ１０６ａ，Ｌ１０６ｂ，Ｌ１０６ｃ，Ｌ１０６ｄ）を、配光制御レンズ（３）の第３領域（Ａ３）の第１出射部（３ｂ３２４，３ｂ３０１）、第２出射部（３ｂ３０６，３ｂ３０７）、第３出射部（３ｂ３１２，３ｂ３１３）および第４出射部（３ｂ３１８，３ｂ３１９）からの光（Ｌ３０１，Ｌ３０６，Ｌ３０７，Ｌ３１２，Ｌ３１３，Ｌ３１８，Ｌ３１９，Ｌ３２４）によって補うことができる。
【００３２】
その結果、請求項１に記載のデイタイムランニングランプ（１００）によれば、基板（２）の前側表面（２ａ）と配光制御レンズ（３）の後側表面（３ａ）とによって覆われている発光素子光源（１）の昇温を十分に抑制しつつ、所望のデイタイムランニングランプ用配光パターン（Ｐ）を形成することができる。
【００３３】
請求項２に記載のデイタイムランニングランプ（１００）では、発光素子光源（１）と、発光素子光源（１）が搭載された基板（２）と、発光素子光源（１）からの光を導光する配光制御レンズ（３）とが設けられている。また、発光素子光源（１）の光軸（１’）と配光制御レンズ（３）の中心軸線（３’）とが概略一致し、かつ、発光素子光源（１）が基板（２）の前側表面（２ａ）と配光制御レンズ（３）の後側表面（３ａ）とによって覆われるように、発光素子光源（１）と基板（２）と配光制御レンズ（３）とが配置されている。
【００３４】
詳細には、請求項２に記載のデイタイムランニングランプ（１００）では、基板（２）の前側表面（２ａ）と配光制御レンズ（３）の後側表面（３ａ）の最後部（３ａ１２）との間に隙間（ｔ１）が設けられている。そのため、請求項２に記載のデイタイムランニングランプ（１００）によれば、基板（２）の前側表面（２ａ）と配光制御レンズ（３）の後側表面（３ａ）の最後部（３ａ１２）との間に隙間（ｔ１）が設けられていない場合よりも、基板（２）の前側表面（２ａ）と配光制御レンズ（３）の後側表面（３ａ）とによって覆われている発光素子光源（１）の昇温を抑制することができる。
【００３５】
更に、請求項２に記載のデイタイムランニングランプ（１００）では、発光素子光源（１）からの光が入射する入射面（３ａ１）が、配光制御レンズ（３）の後側表面（３ａ）に形成されている。また、配光制御レンズ（３）の入射面（３ａ１）からの光を内面反射する内面反射面（３ａ２）が配光制御レンズ（３）の後側表面（３ａ）に形成されている。更に、配光制御レンズ（３）の内面反射面（３ａ２）からの反射光が配光制御レンズ（３）の中心軸線（３’）に概略平行な光になるように、配光制御レンズ（３）の入射面（３ａ１）および内面反射面（３ａ２）が設定されている。
【００３６】
また、請求項２に記載のデイタイムランニングランプ（１００）では、配光制御レンズ（３）の前側表面（３ｂ）のうち、配光制御レンズ（３）の中心軸線（３’）を中心とする概略円形の第１領域（Ａ１）内に、配光制御レンズ（３）の入射面（３ａ１）からの光を出射する第１出射面（３ｂ１）が形成されている。更に、配光制御レンズ（３）の中心軸線（３’）上を進む光（Ｌ１０１ａ）および配光制御レンズ（３）の中心軸線（３’）から遠ざかる側に進む光（Ｌ１０１ｂ，Ｌ１０１ｃ，Ｌ１０１ｄ，Ｌ１０１ｅ）が配光制御レンズ（３）の第１出射面（３ｂ１）から照射されるように、かつ、配光制御レンズ（３）の第１出射面（３ｂ１）からの光（Ｌ１０１ａ，Ｌ１０１ｂ，Ｌ１０１ｃ，Ｌ１０１ｄ，Ｌ１０１ｅ）によって横長の概略楕円形の配光パターン（Ｐ１）が形成されるように、配光制御レンズ（３）の第１出射面（３ｂ１）が設定されている。
【００３７】
ところで、本発明者の鋭意研究により、基板（２）の前側表面（２ａ）と配光制御レンズ（３）の後側表面（３ａ）の最後部（３ａ１２）との間に隙間（ｔ１）を設けただけでは、基板（２）の前側表面（２ａ）と配光制御レンズ（３）の後側表面（３ａ）とによって覆われている発光素子光源（１）の昇温を十分に抑制することができないことが確認された。
【００３８】
そこで、請求項２に記載のデイタイムランニングランプ（１００）では、概略円形の第１領域（Ａ１）のうち、配光制御レンズ（３）の中心軸線（３’）の右側の部分に、配光制御レンズ（３）の後側表面（３ａ）と前側表面（３ｂ）とを連通する第１貫通穴（３ａｂ１）が形成されている。また、概略円形の第１領域（Ａ１）のうち、配光制御レンズ（３）の中心軸線（３’）の上側の部分に、配光制御レンズ（３）の後側表面（３ａ）と前側表面（３ｂ）とを連通する第２貫通穴（３ａｂ２）が形成されている。更に、概略円形の第１領域（Ａ１）のうち、配光制御レンズ（３）の中心軸線（３’）の左側の部分に、配光制御レンズ（３）の後側表面（３ａ）と前側表面（３ｂ）とを連通する第３貫通穴（３ａｂ３）が形成されている。また、概略円形の第１領域（Ａ１）のうち、配光制御レンズ（３）の中心軸線（３’）の下側の部分に、配光制御レンズ（３）の後側表面（３ａ）と前側表面（３ｂ）とを連通する第４貫通穴（３ａｂ４）が形成されている。
【００３９】
そのため、請求項２に記載のデイタイムランニングランプ（１００）によれば、基板（２）の前側表面（２ａ）と配光制御レンズ（３）の後側表面（３ａ）の入射面（３ａ１）との間の空間内の熱のこもりを抑制することができ、それにより、基板（２）の前側表面（２ａ）と配光制御レンズ（３）の後側表面（３ａ）とによって覆われている発光素子光源（１）の昇温を十分に抑制することができる。
【００４０】
ところで、概略円形の第１領域（Ａ１）のうち、配光制御レンズ（３）の中心軸線（３’）の右側の部分に、配光制御レンズ（３）の後側表面（３ａ）と前側表面（３ｂ）とを連通する第１貫通穴（３ａｂ１）を形成すると、配光制御レンズ（３）の中心軸線（３’）から右側に遠ざかりながら進む光（Ｌ１０６ａ）が不足してしまうおそれがある。
【００４１】
そこで、請求項２に記載のデイタイムランニングランプ（１００）では、配光制御レンズ（３）の前側表面（３ｂ）のうち、第１領域（Ａ１）の径方向外側の環状の第２領域（Ａ２）内に、配光制御レンズ（３）の内面反射面（３ａ２）からの光を出射する第２出射面（３ｂ２）が形成されている。更に、配光制御レンズ（３）の中心軸線（３’）から遠ざかる側に進む光（Ｌ２２４，Ｌ２０１）を出射する第１出射部（３ｂ２２４，３ｂ２０１）が、第２出射面（３ｂ２）のうち、第１貫通穴（３ａｂ１）の右側の部分に形成されている。
【００４２】
つまり、請求項２に記載のデイタイムランニングランプ（１００）では、第１貫通穴（３ａｂ１）を形成するのに伴って不足する配光制御レンズ（３）の中心軸線（３’）から右側に遠ざかりながら進む光（Ｌ１０６ａ）を補うために、第２出射面（３ｂ２）の第１出射部（３ｂ２２４，３ｂ２０１）が設けられている。
【００４３】
更に、概略円形の第１領域（Ａ１）のうち、配光制御レンズ（３）の中心軸線（３’）の上側の部分に、配光制御レンズ（３）の後側表面（３ａ）と前側表面（３ｂ）とを連通する第２貫通穴（３ａｂ２）を形成すると、配光制御レンズ（３）の中心軸線（３’）から上側に遠ざかりながら進む光（Ｌ１０６ｂ）が不足してしまうおそれがある。
【００４４】
そこで、請求項２に記載のデイタイムランニングランプ（１００）では、配光制御レンズ（３）の中心軸線（３’）から遠ざかる側に進む光（Ｌ２０６，Ｌ２０７）を出射する第２出射部（３ｂ２０６，３ｂ２０７）が、第２出射面（３ｂ２）のうち、第２貫通穴（３ａｂ２）の上側の部分に形成されている。
【００４５】
つまり、請求項２に記載のデイタイムランニングランプ（１００）では、第２貫通穴（３ａｂ２）を形成するのに伴って不足する配光制御レンズ（３）の中心軸線（３’）から上側に遠ざかりながら進む光（Ｌ１０６ｂ）を補うために、第２出射面（３ｂ２）の第２出射部（３ｂ２０６，３ｂ２０７）が設けられている。
【００４６】
また、概略円形の第１領域（Ａ１）のうち、配光制御レンズ（３）の中心軸線（３’）の左側の部分に、配光制御レンズ（３）の後側表面（３ａ）と前側表面（３ｂ）とを連通する第３貫通穴（３ａｂ３）を形成すると、配光制御レンズ（３）の中心軸線（３’）から左側に遠ざかりながら進む光（Ｌ１０６ｃ）が不足してしまうおそれがある。
【００４７】
そこで、請求項２に記載のデイタイムランニングランプ（１００）では、配光制御レンズ（３）の中心軸線（３’）から遠ざかる側に進む光（Ｌ２１２，Ｌ２１３）を出射する第３出射部（３ｂ２１２，３ｂ２１３）が、第２出射面（３ｂ２）のうち、第３貫通穴（３ａｂ３）の左側の部分に形成されている。
【００４８】
つまり、請求項２に記載のデイタイムランニングランプ（１００）では、第３貫通穴（３ａｂ３）を形成するのに伴って不足する配光制御レンズ（３）の中心軸線（３’）から左側に遠ざかりながら進む光（Ｌ１０６ｃ）を補うために、第２出射面（３ｂ２）の第３出射部（３ｂ２１２，３ｂ２１３）が設けられている。
【００４９】
更に、概略円形の第１領域（Ａ１）のうち、配光制御レンズ（３）の中心軸線（３’）の下側の部分に、配光制御レンズ（３）の後側表面（３ａ）と前側表面（３ｂ）とを連通する第４貫通穴（３ａｂ４）を形成すると、配光制御レンズ（３）の中心軸線（３’）から下側に遠ざかりながら進む光（Ｌ１０６ｄ）が不足してしまうおそれがある。
【００５０】
そこで、請求項２に記載のデイタイムランニングランプ（１００）では、配光制御レンズ（３）の中心軸線（３’）から遠ざかる側に進む光（Ｌ２１８，Ｌ２１９）を出射する第４出射部（３ｂ２１８，３ｂ２１９）が、第２出射面（３ｂ２）のうち、第４貫通穴（３ａｂ４）の下側の部分に形成されている。
【００５１】
つまり、請求項２に記載のデイタイムランニングランプ（１００）では、第４貫通穴（３ａｂ４）を形成するのに伴って不足する配光制御レンズ（３）の中心軸線（３’）から下側に遠ざかりながら進む光（Ｌ１０６ｄ）を補うために、第２出射面（３ｂ２）の第４出射部（３ｂ２１８，３ｂ２１９）が設けられている。
【００５２】
そのため、請求項２に記載のデイタイムランニングランプ（１００）によれば、配光制御レンズ（３）の第１領域（Ａ１）に第１貫通穴（３ａｂ１）、第２貫通穴（３ａｂ２）、第３貫通穴（３ａｂ３）および第４貫通穴（３ａｂ４）を形成するのに伴って不足する配光制御レンズ（３）の第１領域（Ａ１）の第１出射面（３ｂ１）からの光（Ｌ１０６ａ，Ｌ１０６ｂ，Ｌ１０６ｃ，Ｌ１０６ｄ）を、配光制御レンズ（３）の第２領域（Ａ２）の第１出射部（３ｂ２２４，３ｂ２０１）、第２出射部（３ｂ２０６，３ｂ２０７）、第３出射部（３ｂ２１２，３ｂ２１３）および第４出射部（３ｂ２１８，３ｂ２１９）からの光（Ｌ２０１，Ｌ２０６，Ｌ２０７，Ｌ２１２，Ｌ２１３，Ｌ２１８，Ｌ２１９，Ｌ２２４）によって補うことができる。
【００５３】
更に、請求項２に記載のデイタイムランニングランプ（１００）では、配光制御レンズ（３）の前側表面（３ｂ）のうち、第２領域（Ａ２）の径方向外側の環状の第３領域（Ａ３）内に、配光制御レンズ（３）の内面反射面（３ａ２）からの光を出射する第３出射面（３ｂ３）が形成されている。また、配光制御レンズ（３）の中心軸線（３’）に近づく側に進む光（Ｌ３０１，Ｌ３０６，Ｌ３０７，Ｌ３１２，Ｌ３１３，Ｌ３１８，Ｌ３１９，Ｌ３２４）が配光制御レンズ（３）の第３出射面（３ｂ３）から照射されるように、かつ、配光制御レンズ（３）の第３出射面（３ｂ３）からの光（Ｌ３０１，Ｌ３０６，Ｌ３０７，Ｌ３１２，Ｌ３１３，Ｌ３１８，Ｌ３１９，Ｌ３２４）によって概略円形の配光パターン（Ｐ２）が形成されるように、配光制御レンズ（３）の第３出射面（３ｂ３）が設定されている。
【００５４】
つまり、請求項２に記載のデイタイムランニングランプ（１００）では、配光制御レンズ（３）の第１出射面（３ｂ１）からの光（Ｌ１０１ａ，Ｌ１０１ｂ，Ｌ１０１ｃ，Ｌ１０１ｄ，Ｌ１０１ｅ）によって形成される横長の概略楕円形の配光パターン（Ｐ１）と、配光制御レンズ（３）の第３出射面（３ｂ３）からの光（Ｌ３０１，Ｌ３０６，Ｌ３０７，Ｌ３１２，Ｌ３１３，Ｌ３１８，Ｌ３１９，Ｌ３２４）によって形成される概略円形の配光パターン（Ｐ２）とを重ね合わせることにより、デイタイムランニングランプ配光規格を満足するデイタイムランニングランプ用配光パターン（Ｐ）が形成される。
【００５５】
その結果、請求項２に記載のデイタイムランニングランプ（１００）によれば、基板（２）の前側表面（２ａ）と配光制御レンズ（３）の後側表面（３ａ）とによって覆われている発光素子光源（１）の昇温を十分に抑制しつつ、所望のデイタイムランニングランプ用配光パターン（Ｐ）を形成することができる。
【図面の簡単な説明】
【００５６】
【図１】第１の実施形態のデイタイムランニングランプ１００の概略的な正面図である。
【図２】第１の実施形態のデイタイムランニングランプ１００の概略的な水平断面図である。
【図３】第１の実施形態のデイタイムランニングランプ１００の概略的な鉛直断面図である。
【図４】第１の実施形態のデイタイムランニングランプ１００の一部を構成する配光制御レンズ３の部品図である。
【図５】第１の実施形態のデイタイムランニングランプ１００の一部を構成する配光制御レンズ３の部品図である。
【図６】第１の実施形態のデイタイムランニングランプ１００の一部を構成する配光制御レンズ３の部品図である。
【図７】第１の実施形態のデイタイムランニングランプ１００の概略的な光路図である。
【図８】第１の実施形態のデイタイムランニングランプ１００の概略的な光路図である。
【図９】第１の実施形態のデイタイムランニングランプ１００によって形成される配光パターンＰ１，Ｐ２，Ｐを概略的に示した図である。
【図１０】第５の実施形態のデイタイムランニングランプ１００の概略的な水平断面図である。
【図１１】第５の実施形態のデイタイムランニングランプ１００の概略的な鉛直断面図である。
【図１２】第５の実施形態のデイタイムランニングランプ１００の一部を構成する配光制御レンズ３の部品図である。
【図１３】第５の実施形態のデイタイムランニングランプ１００の一部を構成する配光制御レンズ３の部品図である。
【図１４】第５の実施形態のデイタイムランニングランプ１００の概略的な光路図である。
【図１５】第５の実施形態のデイタイムランニングランプ１００の概略的な光路図である。
【図１６】比較例のデイタイムランニングランプ１００の概略的な正面図である。
【図１７】比較例のデイタイムランニングランプ１００の概略的な水平断面図である。
【図１８】比較例のデイタイムランニングランプ１００の概略的な鉛直断面図である。
【図１９】比較例のデイタイムランニングランプ１００の一部を構成する配光制御レンズ３の部品図である。
【図２０】比較例のデイタイムランニングランプ１００の一部を構成する配光制御レンズ３の部品図である。
【図２１】比較例のデイタイムランニングランプ１００の一部を構成する配光制御レンズ３の部品図である。
【図２２】比較例のデイタイムランニングランプ１００の概略的な光路図である。
【図２３】比較例のデイタイムランニングランプ１００の概略的な光路図である。
【発明を実施するための形態】
【００５７】
図１は第１の実施形態のデイタイムランニングランプ１００の概略的な正面図、図２は第１の実施形態のデイタイムランニングランプ１００の概略的な水平断面図である。詳細には、図２（Ａ）は図１のＡ−Ａ線に沿った概略的な水平断面図、図２（Ｂ）は図１のＢ−Ｂ線に沿った概略的な水平断面図である。図３は第１の実施形態のデイタイムランニングランプ１００の概略的な鉛直断面図である。詳細には、図３（Ａ）は図１のＣ−Ｃ線に沿った概略的な鉛直断面図、図３（Ｂ）は図１のＤ−Ｄ線に沿った概略的な鉛直断面図である。図４〜図６は第１の実施形態のデイタイムランニングランプ１００の一部を構成する配光制御レンズ３の部品図である。詳細には、図４（Ａ）は配光制御レンズ３の平面図、図４（Ｂ）、図４（Ｃ）および図４（Ｄ）は配光制御レンズ３の正面図、図４（Ｅ）は配光制御レンズ３の右側面図である。図５（Ａ）は図４（Ｂ）のＥ−Ｅ線に沿った拡大水平断面図、図５（Ｂ）は図４（Ｂ）のＦ−Ｆ線に沿った拡大水平断面図、図６（Ａ）は図４（Ｂ）のＧ−Ｇ線に沿った拡大鉛直断面図、図６（Ｂ）は図４（Ｂ）のＨ−Ｈ線に沿った拡大鉛直断面図である。
【００５８】
図７および図８は第１の実施形態のデイタイムランニングランプ１００の概略的な光路図である。詳細には、図７（Ａ）は図２（Ａ）に示す水平断面内を進む光の光路を示した図、図７（Ｂ）は図２（Ｂ）に示す水平断面内を進む光の光路を示した図、図８（Ａ）は図３（Ａ）に示す鉛直断面内を進む光の光路を示した図、図８（Ｂ）は図３（Ｂ）に示す鉛直断面内を進む光の光路を示した図である。図９は第１の実施形態のデイタイムランニングランプ１００によって形成される配光パターンＰ１，Ｐ２，Ｐを概略的に示した図である。
【００５９】
図１０は第５の実施形態のデイタイムランニングランプ１００の概略的な水平断面図である。詳細には、図１０（Ａ）は図１のＡ−Ａ線に沿った水平断面図に相当する水平断面図、図１０（Ｂ）は図１のＢ−Ｂ線に沿った水平断面図に相当する水平断面図である。図１１は第５の実施形態のデイタイムランニングランプ１００の概略的な鉛直断面図である。詳細には、図１１（Ａ）は図１のＣ−Ｃ線に沿った鉛直断面図に相当する鉛直断面図、図１１（Ｂ）は図１のＤ−Ｄ線に沿った鉛直断面図に相当する鉛直断面図である。図１２および図１３は第５の実施形態のデイタイムランニングランプ１００の一部を構成する配光制御レンズ３の部品図である。詳細には、図１２（Ａ）は図４（Ｂ）のＥ−Ｅ線に沿った拡大水平断面図に相当する拡大水平断面図、図１２（Ｂ）は図４（Ｂ）のＦ−Ｆ線に沿った拡大水平断面図に相当する拡大水平断面図、図１３（Ａ）は図４（Ｂ）のＧ−Ｇ線に沿った拡大鉛直断面図に相当する拡大鉛直断面図、図１３（Ｂ）は図４（Ｂ）のＨ−Ｈ線に沿った拡大鉛直断面図に相当する拡大鉛直断面である。
【００６０】
図１４および図１５は第５の実施形態のデイタイムランニングランプ１００の概略的な光路図である。詳細には、図１４（Ａ）は図１０（Ａ）に示す水平断面内を進む光の光路を示した図、図１４（Ｂ）は図１０（Ｂ）に示す水平断面内を進む光の光路を示した図、図１５（Ａ）は図１１（Ａ）に示す鉛直断面内を進む光の光路を示した図、図１５（Ｂ）は図１１（Ｂ）に示す鉛直断面内を進む光の光路を示した図である。
【００６１】
図１６は比較例のデイタイムランニングランプ１００の概略的な正面図、図１７は比較例のデイタイムランニングランプ１００の概略的な水平断面図である。詳細には、図１７（Ａ）は図１６のＩ−Ｉ線に沿った概略的な水平断面図、図１７（Ｂ）は図１６のＪ−Ｊ線に沿った概略的な水平断面図である。図１８は比較例のデイタイムランニングランプ１００の概略的な鉛直断面図である。詳細には、図１８（Ａ）は図１６のＫ−Ｋ線に沿った概略的な鉛直断面図、図１８（Ｂ）は図１６のＬ−Ｌ線に沿った概略的な鉛直断面図である。図１９〜図２１は比較例のデイタイムランニングランプ１００の一部を構成する配光制御レンズ３の部品図である。詳細には、図１９（Ａ）は比較例の配光制御レンズ３の平面図、図１９（Ｂ）、図１９（Ｃ）および図１９（Ｄ）は比較例の配光制御レンズ３の正面図、図１９（Ｅ）は比較例の配光制御レンズ３の右側面図である。図２０（Ａ）は図１９（Ｂ）のＭ−Ｍ線に沿った拡大水平断面図、図２０（Ｂ）は図１９（Ｂ）のＮ−Ｎ線に沿った拡大水平断面図、図２１（Ａ）は図１９（Ｂ）のＰ−Ｐ線に沿った拡大鉛直断面図、図２１（Ｂ）は図１９（Ｂ）のＱ−Ｑ線に沿った拡大鉛直断面図である。
【００６２】
図２２および図２３は比較例のデイタイムランニングランプ１００の概略的な光路図である。詳細には、図２２（Ａ）は図１７（Ａ）に示す水平断面内を進む光の光路を示した図、図２２（Ｂ）は図１７（Ｂ）に示す水平断面内を進む光の光路を示した図、図２３（Ａ）は図１８（Ａ）に示す鉛直断面内を進む光の光路を示した図、図２３（Ｂ）は図１８（Ｂ）に示す鉛直断面内を進む光の光路を示した図である。
【００６３】
本発明のデイタイムランニングランプの第１の実施形態について説明する前に、比較例のデイタイムランニングランプ１００について説明する。比較例のデイタイムランニングランプ１００では、図１６〜図１８に示すように、例えばＬＥＤなどのような発光素子光源１（図１７および図１８参照）と、発光素子光源１が搭載された基板２（図１７および図１８参照）と、発光素子光源１からの光を導光する配光制御レンズ３とが設けられている。また、発光素子光源１の光軸１’（図１７および図１８参照）と配光制御レンズ３の中心軸線３’（図１７および図１８参照）とが概略一致し、かつ、発光素子光源１が基板２の前側表面２ａ（図１７および図１８参照）と配光制御レンズ３の後側表面３ａ（図２０および図２１参照）の入射面３ａ１（図１７および図１８参照）とによって覆われるように、発光素子光源１と基板２と配光制御レンズ３とが配置されている。
【００６４】
詳細には、比較例のデイタイムランニングランプ１００では、図１７に示すように、例えばスペーサー（図示せず）などを基板２の前側表面２ａと配光制御レンズ３のフランジ部３ｃとの間に配置することにより、基板２の前側表面２ａと配光制御レンズ３の後側表面３ａ（図２０および図２１参照）の最後部３ａ１２との間に例えば約１ｍｍの隙間ｔ１が設けられている。また、光軸１’（中心軸線３’）上における発光素子光源１と配光制御レンズ３の入射面３ａ１との間隔ｔ２が約５ｍｍに設定されている。そのため、比較例のデイタイムランニングランプ１００では、基板２の前側表面２ａと配光制御レンズ３の後側表面３ａの最後部３ａ１２との間に隙間ｔ１が設けられていない特許文献１の図２に記載されたデイタイムランニングランプよりも、基板２の前側表面２ａと配光制御レンズ３の後側表面３ａとによって覆われている発光素子光源１の昇温を抑制することができる。
【００６５】
更に、比較例のデイタイムランニングランプ１００では、図２０および図２１に示すように、発光素子光源１（図１７および図１８参照）からの光が入射する入射面３ａ１が、配光制御レンズ３の後側表面３ａに形成されている。また、配光制御レンズ３の入射面３ａ１からの光を内面反射する内面反射面３ａ２が配光制御レンズ３の後側表面３ａに形成されている。更に、図２２および図２３に示すように、配光制御レンズ３の内面反射面３ａ２からの反射光が配光制御レンズ３の中心軸線３’に概略平行な光になるように、配光制御レンズ３の入射面３ａ１および内面反射面３ａ２が設定されている。
【００６６】
また、比較例のデイタイムランニングランプ１００では、図１９（Ｂ）、図２０および図２１に示すように、配光制御レンズ３の前側表面３ｂ（図２０および図２１参照）のうち、配光制御レンズ３の中心軸線３’（図２０および図２１参照）を中心とする概略円形の領域Ａ１（図１９（Ｂ）のハッチング部分）内に、配光制御レンズ３の入射面３ａ１からの光を出射する出射面３ｂ１が形成されている。更に、正面図（図１９（Ｂ））における外形形状が円形の出射部３ｂ１０１と、出射部３ｂ１０１の周りに位置し、正面図（図１９（Ｂ））における外形形状が横長の楕円形の出射部３ｂ１０６とが、出射面３ｂ１に設けられている。
【００６７】
詳細には、比較例のデイタイムランニングランプ１００では、図２２および図２３に示すように、配光制御レンズ３の中心軸線３’上を進む光Ｌ１０１および配光制御レンズ３の中心軸線３’から遠ざかる側に進む光（図示せず）が配光制御レンズ３の出射面３ｂ１（図１９（Ｂ）、図２０および図２１参照）の出射部３ｂ１０１（図１９（Ｂ）、図２０および図２１参照）から照射されると共に、配光制御レンズ３の中心軸線３’から遠ざかる側に進む光Ｌ１０６ａ，Ｌ１０６ｂ，Ｌ１０６ｃ，Ｌ１０６ｄが配光制御レンズ３の出射面３ｂ１の出射部３ｂ１０６（図１９（Ｂ）、図２０および図２１参照）から照射されるように、かつ、配光制御レンズ３の出射面３ｂ１からの光Ｌ１０１，Ｌ１０６ａ，Ｌ１０６ｂ，Ｌ１０６ｃ，Ｌ１０６ｄによって横長の概略楕円形の配光パターンＰ１（図９（Ａ）参照）が形成されるように、配光制御レンズ３の出射面３ｂ１が設定されている。
【００６８】
更に詳細には、比較例のデイタイムランニングランプ１００では、図２２および図２３に示すように、配光制御レンズ３の出射面３ｂ１（図１９（Ｂ）、図２０および図２１参照）の出射部３ｂ１０６（図１９（Ｂ）、図２０および図２１参照）からの光Ｌ１０６ａ，Ｌ１０６ｂ，Ｌ１０６ｃ，Ｌ１０６ｄによって横長の概略楕円形の配光パターンＰ１（図９（Ａ）参照）の輪郭部分が形成される。更に、その輪郭部分の内側の部分が、配光制御レンズ３の出射面３ｂ１の出射部３ｂ１０１（図１９（Ｂ）、図２０および図２１参照）からの配光制御レンズ３の中心軸線３’上を進む光Ｌ１０１および配光制御レンズ３の中心軸線３’から遠ざかる側に進む光（図示せず）によって形成される。
【００６９】
更に、比較例のデイタイムランニングランプ１００では、図１９〜図２１に示すように、配光制御レンズ３の前側表面３ｂ（図２０および図２１参照）のうち、領域Ａ１（図１９（Ｂ）のハッチング部分）の径方向外側の環状の領域Ａ２（図１９（Ｃ）のハッチング部分））内に、配光制御レンズ３の内面反射面３ａ２（図２０および図２１参照）からの光を出射する出射面３ｂ２が形成されている。詳細には、比較例のデイタイムランニングランプ１００では、図１９（Ｃ）に示すように、環状に配列された２４個の出射部３ｂ２０１，３ｂ２０２，３ｂ２０３，３ｂ２０４，３ｂ２０５，３ｂ２０６，３ｂ２０７，３ｂ２０８，３ｂ２０９，３ｂ２１０，３ｂ２１１，３ｂ２１２，３ｂ２１３，３ｂ２１４，３ｂ２１５，３ｂ２１６，３ｂ２１７，３ｂ２１８，３ｂ２１９，３ｂ２２０，３ｂ２２１，３ｂ２２２，３ｂ２２３，３ｂ２２４によって出射面３ｂ２が構成されている。更に、各出射部３ｂ２０１，３ｂ２０２，…，３ｂ２２３，３ｂ２２４が、中心軸線３’を中心に１５°回転対称に形成されている。
【００７０】
また、比較例のデイタイムランニングランプ１００では、図２２および図２３に示すように、配光制御レンズ３の中心軸線３’に近づく側に進む光Ｌ２０１，Ｌ２０６，Ｌ２０７，Ｌ２１２，Ｌ２１３，Ｌ２１８，Ｌ２１９，Ｌ２２４が配光制御レンズ３の出射面３ｂ２（図１９（Ｃ）、図２０および図２１参照）の出射部３ｂ２０１，３ｂ２０２，…，３ｂ２２３，３ｂ２２４（図１９（Ｃ）、図２０および図２１参照）から照射されるように、かつ、配光制御レンズ３の出射面３ｂ２の出射部３ｂ２０１，３ｂ２０２，…，３ｂ２２３，３ｂ２２４からの光Ｌ２０１，Ｌ２０６，Ｌ２０７，Ｌ２１２，Ｌ２１３，Ｌ２１８，Ｌ２１９，Ｌ２２４によって概略円形の配光パターンＰ２（図９（Ｂ）参照）が形成されるように、配光制御レンズ３の出射面３ｂ２の出射部３ｂ２０１，３ｂ２０２，…，３ｂ２２３，３ｂ２２４が設定されている。
【００７１】
更に、比較例のデイタイムランニングランプ１００では、図１９〜図２１に示すように、配光制御レンズ３の前側表面３ｂ（図２０および図２１参照）のうち、領域Ａ２（図１９（Ｃ）のハッチング部分）の径方向外側の環状の領域Ａ３（図１９（Ｄ）のハッチング部分））内に、配光制御レンズ３の内面反射面３ａ２（図２０および図２１参照）からの光を出射する出射面３ｂ３が形成されている。詳細には、比較例のデイタイムランニングランプ１００では、図１９（Ｄ）に示すように、環状に配列された２４個の出射部３ｂ３０１，３ｂ３０２，３ｂ３０３，３ｂ３０４，３ｂ３０５，３ｂ３０６，３ｂ３０７，３ｂ３０８，３ｂ３０９，３ｂ３１０，３ｂ３１１，３ｂ３１２，３ｂ３１３，３ｂ３１４，３ｂ３１５，３ｂ３１６，３ｂ３１７，３ｂ３１８，３ｂ３１９，３ｂ３２０，３ｂ３２１，３ｂ３２２，３ｂ３２３，３ｂ３２４によって出射面３ｂ３が構成されている。更に、各出射部３ｂ３０１，３ｂ３０２，…，３ｂ３２３，３ｂ３２４が、中心軸線３’を中心に１５°回転対称に形成されている。
【００７２】
また、比較例のデイタイムランニングランプ１００では、図２２および図２３に示すように、配光制御レンズ３の中心軸線３’に近づく側に進む光Ｌ３０１，Ｌ３０６，Ｌ３０７，Ｌ３１２，Ｌ３１３，Ｌ３１８，Ｌ３１９，Ｌ３２４が配光制御レンズ３の出射面３ｂ３（図１９（Ｄ）、図２０および図２１参照）の出射部３ｂ３０１，３ｂ３０２，…，３ｂ３２３，３ｂ３２４（図１９（Ｄ）、図２０および図２１参照）から照射されるように、かつ、配光制御レンズ３の出射面３ｂ３の出射部３ｂ３０１，３ｂ３０２，…，３ｂ３２３，３ｂ３２４からの光Ｌ３０１，Ｌ３０６，Ｌ３０７，Ｌ３１２，Ｌ３１３，Ｌ３１８，Ｌ３１９，Ｌ３２４によって概略円形の配光パターンＰ２（図９（Ｂ）参照）が形成されるように、配光制御レンズ３の出射面３ｂ３の出射部３ｂ３０１，３ｂ３０２，…，３ｂ３２３，３ｂ３２４が設定されている。
【００７３】
つまり、比較例のデイタイムランニングランプ１００では、配光制御レンズ３（図１９〜図２１参照）の出射面３ｂ１（図１９（Ｂ）、図２０および図２１参照）の出射部３ｂ１０１，３ｂ１０６（図１９（Ｂ）、図２０および図２１参照）からの光Ｌ１０１，Ｌ１０６ａ，Ｌ１０６ｂ，Ｌ１０６ｃ，Ｌ１０６ｄ（図２２および図２３参照）によって形成される横長の概略楕円形の配光パターンＰ１（図９（Ａ）参照）と、配光制御レンズ３の出射面３ｂ２（図１９（Ｃ）、図２０および図２１参照）の出射部３ｂ２０１，３ｂ２０２，…，３ｂ２２３，３ｂ２２４（図１９（Ｃ）、図２０および図２１参照）からの光Ｌ２０１，Ｌ２０６，Ｌ２０７，Ｌ２１２，Ｌ２１３，Ｌ２１８，Ｌ２１９，Ｌ２２４（図２２および図２３参照）および出射面３ｂ３（図１９（Ｄ）、図２０および図２１参照）の出射部３ｂ３０１，３ｂ３０２，…，３ｂ３２３，３ｂ３２４（図１９（Ｄ）、図２０および図２１参照）からの光Ｌ３０１，Ｌ３０６，Ｌ３０７，Ｌ３１２，Ｌ３１３，Ｌ３１８，Ｌ３１９，Ｌ３２４（図２２および図２３参照）によって形成される概略円形の配光パターンＰ２（図９（Ｂ）参照）とを重ね合わせることにより、デイタイムランニングランプ配光規格を満足するデイタイムランニングランプ用配光パターンＰ（図９（Ｃ）参照）が形成される。
【００７４】
ところで、本発明者の鋭意研究により、図１７に示す比較例のデイタイムランニングランプ１００のように、基板２の前側表面２ａと配光制御レンズ３の後側表面３ａ（図２０および図２１参照）の最後部３ａ１２との間に隙間ｔ１を設けただけでは、基板２の前側表面２ａと配光制御レンズ３の後側表面３ａとによって覆われている発光素子光源１の昇温を十分に抑制することができないことが確認された。
【００７５】
そこで、第１の実施形態のデイタイムランニングランプ１００では、比較例のデイタイムランニングランプ１００に対して後述する改良が施されている。詳細には、第１の実施形態のデイタイムランニングランプ１００では、図４〜図６に示すように、概略円形の領域Ａ１（図４（Ｂ）のハッチング部分）のうち、配光制御レンズ３の中心軸線３’（図４（Ａ）および図５参照）の右側の部分に、配光制御レンズ３の後側表面３ａ（図５参照）と前側表面３ｂ（図５参照）とを連通する幅（図４（Ｂ）の左右方向寸法）約２．５ｍｍ×高さ（図４（Ｂ）の上下方向寸法）約２ｍｍの貫通穴３ａｂ１（図４（Ｂ）および図５参照）が形成されている。また、概略円形の領域Ａ１（図４（Ｂ）のハッチング部分）のうち、配光制御レンズ３の中心軸線３’（図４（Ｅ）および図６参照）の上側の部分に、配光制御レンズ３の後側表面３ａ（図６参照）と前側表面３ｂ（図６参照）とを連通する幅（図４（Ｂ）の左右方向寸法）約２ｍｍ×高さ（図４（Ｂ）の上下方向寸法）約１．５ｍｍの貫通穴３ａｂ２（図４（Ｂ）および図６参照）が形成されている。更に、概略円形の領域Ａ１（図４（Ｂ）のハッチング部分）のうち、配光制御レンズ３の中心軸線３’（図４（Ａ）および図５参照）の左側の部分に、配光制御レンズ３の後側表面３ａ（図５参照）と前側表面３ｂ（図５参照）とを連通する幅（図４（Ｂ）の左右方向寸法）約２．５ｍｍ×高さ（図４（Ｂ）の上下方向寸法）約２ｍｍの貫通穴３ａｂ３（図４（Ｂ）および図５参照）が形成されている。また、概略円形の領域Ａ１（図４（Ｂ）のハッチング部分）のうち、配光制御レンズ３の中心軸線３’（図４（Ｅ）および図６参照）の下側の部分に、配光制御レンズ３の後側表面３ａ（図６参照）と前側表面３ｂ（図６参照）とを連通する幅（図４（Ｂ）の左右方向寸法）約２ｍｍ×高さ（図４（Ｂ）の上下方向寸法）約１．５ｍｍの貫通穴３ａｂ４（図４（Ｂ）および図６参照）が形成されている。
【００７６】
そのため、第１の実施形態のデイタイムランニングランプ１００によれば、比較例のデイタイムランニングランプ１００よりも、基板２（図２および図３参照）の前側表面２ａ（図２および図３参照）と配光制御レンズ３（図１〜図３参照）の後側表面３ａ（図５および図６参照）の入射面３ａ１（図２および図３参照）との間の空間内の熱のこもりを抑制することができ、それにより、基板２の前側表面２ａと配光制御レンズ３の後側表面３ａとによって覆われている発光素子光源１（図２および図３参照）の昇温を十分に抑制することができる。
【００７７】
つまり、第１の実施形態のデイタイムランニングランプ１００では、図１〜図３に示すように、例えばＬＥＤなどのような発光素子光源１（図２および図３参照）と、発光素子光源１が搭載された基板２（図２および図３参照）と、発光素子光源１からの光を導光する配光制御レンズ３とが設けられている。また、発光素子光源１の光軸１’（図２および図３参照）と配光制御レンズ３の中心軸線３’（図２および図３参照）とが概略一致し、かつ、発光素子光源１が基板２の前側表面２ａ（図２および図３参照）と配光制御レンズ３の後側表面３ａ（図５および図６参照）の入射面３ａ１（図２および図３参照）とによって覆われるように、発光素子光源１と基板２と配光制御レンズ３とが配置されている。
【００７８】
詳細には、第１の実施形態のデイタイムランニングランプ１００では、図２に示すように、例えばスペーサー（図示せず）などを基板２の前側表面２ａと配光制御レンズ３のフランジ部３ｃとの間に配置することにより、基板２の前側表面２ａと配光制御レンズ３の後側表面３ａ（図５および図６参照）の最後部３ａ１２との間に例えば約１ｍｍの隙間ｔ１が設けられている。また、光軸１’（中心軸線３’）上における発光素子光源１と配光制御レンズ３の入射面３ａ１との間隔ｔ２が約５ｍｍに設定されている。そのため、第１の実施形態のデイタイムランニングランプ１００によれば、基板２の前側表面２ａと配光制御レンズ３の後側表面３ａの最後部３ａ１２との間に隙間ｔ１が設けられていない特許文献１の図２に記載されたデイタイムランニングランプよりも、基板２の前側表面２ａと配光制御レンズ３の後側表面３ａとによって覆われている発光素子光源１の昇温を抑制することができる。
【００７９】
また、第１の実施形態のデイタイムランニングランプ１００では、図２および図３に示すように、発光素子光源１が発生した熱がヒートシンク４の放熱フィン４ａ（図２参照）から放熱されるように、基板２がヒートシンク４に接続されている。更に、例えばブラケット５などのような接合部材を介してヒートシンク４がハウジング１００ａに接続されている。つまり、発光素子光源１、基板２、配光制御レンズ３、ヒートシンク４およびブラケット５が、ハウジング１００ａとアウターレンズ１００ｂとによって画定される灯室１００ｃ内に収容されている。
【００８０】
更に、第１の実施形態のデイタイムランニングランプ１００では、図５および図６に示すように、発光素子光源１（図２および図３参照）からの光が入射する入射面３ａ１が、配光制御レンズ３の後側表面３ａに形成されている。また、配光制御レンズ３の入射面３ａ１からの光を内面反射する内面反射面３ａ２が配光制御レンズ３の後側表面３ａに形成されている。更に、図７および図８に示すように、配光制御レンズ３の内面反射面３ａ２からの反射光が配光制御レンズ３の中心軸線３’に概略平行な光になるように、配光制御レンズ３の入射面３ａ１および内面反射面３ａ２が設定されている。
【００８１】
また、第１の実施形態のデイタイムランニングランプ１００では、図４（Ｂ）、図５および図６に示すように、配光制御レンズ３の前側表面３ｂ（図５および図６参照）のうち、配光制御レンズ３の中心軸線３’（図５および図６参照）を中心とする概略円形の領域Ａ１（図４（Ｂ）のハッチング部分）内に、配光制御レンズ３の入射面３ａ１からの光を出射する出射面３ｂ１が形成されている。更に、正面図（図４（Ｂ））における外形形状が円形の出射部３ｂ１０１（図４（Ｂ）、図５および図６参照）が出射面３ｂ１に設けられている。また、出射部３ｂ１０１の周りに位置する４個の貫通穴３ａｂ１，３ａｂ２，３ａｂ３，３ａｂ４（図４（Ｂ）、図５および図６参照）と出射部３ｂ１０２，３ｂ１０３，３ｂ１０４，３ｂ１０５（図４（Ｂ）参照）とが出射面３ｂ１に設けられている。
【００８２】
具体的には、第１の実施形態のデイタイムランニングランプ１００の出射部３ｂ１０１（図４（Ｂ）、図５および図６参照）が、比較例のデイタイムランニングランプ１００の出射部３ｂ１０１（図１９（Ｂ）、図２０および図２１参照）と同様に構成されている。更に、比較例のデイタイムランニングランプ１００の環状の出射部３ｂ１０６（図１９（Ｂ）、図２０および図２１参照）の一部に４個の貫通穴３ａｂ１，３ａｂ２，３ａｂ３，３ａｂ４（図４（Ｂ）、図５および図６参照）を形成することにより、第１の実施形態のデイタイムランニングランプ１００の４個の出射部３ｂ１０２，３ｂ１０３，３ｂ１０４，３ｂ１０５（図４（Ｂ）参照）が構成されている。
【００８３】
詳細には、第１の実施形態のデイタイムランニングランプ１００では、図７および図８に示すように、配光制御レンズ３の中心軸線３’上を進む光Ｌ１０１ａおよび配光制御レンズ３の中心軸線３’から遠ざかる側に進む光Ｌ１０１ｂ，Ｌ１０１ｃ，Ｌ１０１ｄ，Ｌ１０１ｅが配光制御レンズ３の出射面３ｂ１（図４（Ｂ）、図５および図６参照）の出射部３ｂ１０１（図４（Ｂ）、図５および図６参照）から照射されると共に、配光制御レンズ３の中心軸線３’から遠ざかる側に進む光（図示せず）が配光制御レンズ３の出射面３ｂ１の出射部３ｂ１０２，３ｂ１０３，３ｂ１０４，３ｂ１０５（図４（Ｂ）参照）から照射されるように、かつ、配光制御レンズ３の出射面３ｂ１の出射部３ｂ１０１からの光Ｌ１０１ａ，Ｌ１０１ｂ，Ｌ１０１ｃ，Ｌ１０１ｄ，Ｌ１０１ｅおよび出射部３ｂ１０２，３ｂ１０３，３ｂ１０４，３ｂ１０５からの光（図示せず）によって横長の概略楕円形の配光パターンＰ１（図９（Ａ）参照）が形成されるように、配光制御レンズ３の出射面３ｂ１の出射部３ｂ１０１，３ｂ１０２，３ｂ１０３，３ｂ１０４，３ｂ１０５が設定されている。
【００８４】
更に詳細には、第１の実施形態のデイタイムランニングランプ１００では、配光制御レンズ３（図４、図５および図６参照）の出射面３ｂ１（図４（Ｂ）、図５および図６参照）の出射部３ｂ１０２，３ｂ１０３，３ｂ１０４，３ｂ１０５（図４（Ｂ）参照）からの光（図示せず）によって横長の概略楕円形の配光パターンＰ１（図９（Ａ）参照）の輪郭部分が形成される。更に、その輪郭部分の内側の部分が、配光制御レンズ３の出射面３ｂ１の出射部３ｂ１０１（図４（Ｂ）、図５および図６参照）からの配光制御レンズ３の中心軸線３’（図７および図８参照）上を進む光Ｌ１０１ａ（図７および図８参照）および配光制御レンズ３の中心軸線３’から遠ざかる側に進む光Ｌ１０１ｂ，Ｌ１０１ｃ，Ｌ１０１ｄ，Ｌ１０１ｅ（図７および図８参照）によって形成される。
【００８５】
更に、第１の実施形態のデイタイムランニングランプ１００では、図４〜図６に示すように、配光制御レンズ３の前側表面３ｂ（図５および図６参照）のうち、領域Ａ１（図４（Ｂ）のハッチング部分）の径方向外側の環状の領域Ａ２（図４（Ｃ）のハッチング部分）内に、配光制御レンズ３の内面反射面３ａ２（図５および図６参照）からの光を出射する出射面３ｂ２（図４（Ｃ）、図５および図６参照）が形成されている。詳細には、第１の実施形態のデイタイムランニングランプ１００では、図４（Ｃ）に示すように、環状に配列された２４個の出射部３ｂ２０１，３ｂ２０２，３ｂ２０３，３ｂ２０４，３ｂ２０５，３ｂ２０６，３ｂ２０７，３ｂ２０８，３ｂ２０９，３ｂ２１０，３ｂ２１１，３ｂ２１２，３ｂ２１３，３ｂ２１４，３ｂ２１５，３ｂ２１６，３ｂ２１７，３ｂ２１８，３ｂ２１９，３ｂ２２０，３ｂ２２１，３ｂ２２２，３ｂ２２３，３ｂ２２４によって出射面３ｂ２が構成されている。更に、各出射部３ｂ２０１，３ｂ２０２，…，３ｂ２２３，３ｂ２２４が、中心軸線３’を中心に１５°回転対称に形成されている。
【００８６】
また、第１の実施形態のデイタイムランニングランプ１００では、図７および図８に示すように、配光制御レンズ３の中心軸線３’に近づく側に進む光Ｌ２０１，Ｌ２０６，Ｌ２０７，Ｌ２１２，Ｌ２１３，Ｌ２１８，Ｌ２１９，Ｌ２２４が配光制御レンズ３の出射面３ｂ２（図４（Ｃ）、図５および図６参照）の出射部３ｂ２０１，３ｂ２０２，…，３ｂ２２３，３ｂ２２４（図４（Ｃ）、図５および図６参照）から照射されるように、かつ、配光制御レンズ３の出射面３ｂ２の出射部３ｂ２０１，３ｂ２０２，…，３ｂ２２３，３ｂ２２４からの光Ｌ２０１，Ｌ２０６，Ｌ２０７，Ｌ２１２，Ｌ２１３，Ｌ２１８，Ｌ２１９，Ｌ２２４によって概略円形の配光パターンＰ２（図９（Ｂ）参照）が形成されるように、配光制御レンズ３の出射面３ｂ２の出射部３ｂ２０１，３ｂ２０２，…，３ｂ２２３，３ｂ２２４が設定されている。
【００８７】
つまり、第１の実施形態のデイタイムランニングランプ１００では、配光制御レンズ３（図４〜図６参照）の出射面３ｂ１（図４（Ｂ）、図５および図６参照）の出射部３ｂ１０１，３ｂ１０２，３ｂ１０３，３ｂ１０４，３ｂ１０５（図４（Ｂ）参照）からの光Ｌ１０１ａ，Ｌ１０１ｂ，Ｌ１０１ｃ，Ｌ１０１ｄ，Ｌ１０１ｅ（図７および図８参照）によって形成される横長の概略楕円形の配光パターンＰ１（図９（Ａ）参照）と、配光制御レンズ３の出射面３ｂ２（図４（Ｃ）、図５および図６参照）の出射部３ｂ２０１，３ｂ２０２，…，３ｂ２２３，３ｂ２２４（図４（Ｃ）、図５および図６参照）からの光Ｌ２０１，Ｌ２０６，Ｌ２０７，Ｌ２１２，Ｌ２１３，Ｌ２１８，Ｌ２１９，Ｌ２２４（図７および図８参照）によって形成される概略円形の配光パターンＰ２（図９（Ｂ）参照）とを重ね合わせることにより、デイタイムランニングランプ配光規格を満足するデイタイムランニングランプ用配光パターンＰ（図９（Ｃ）参照）が形成される。
【００８８】
ところで、概略円形の領域Ａ１（図４（Ｂ）のハッチング部分）のうち、配光制御レンズ３（図４および図５参照）の中心軸線３’（図４（Ａ）および図５参照）の右側の部分に、配光制御レンズ３の後側表面３ａ（図５参照）と前側表面３ｂ（図５参照）とを連通する貫通穴３ａｂ１（図４（Ｂ）および図５参照）を形成すると、配光制御レンズ３の中心軸線３’から右側に遠ざかりながら進む光Ｌ１０６ａ（図２２（Ａ）および図２２（Ｂ）参照）の一部が貫通穴３ａｂ１の径方向内側の内壁面３ａｂ１ａ（図５（Ａ）および図５（Ｂ）参照）によって遮られてしまい、配光制御レンズ３の中心軸線３’から右側に遠ざかりながら進む光Ｌ１０６ａ（図２２（Ａ）および図２２（Ｂ）参照）が不足してしまうおそれがある。
【００８９】
そこで、第１の実施形態のデイタイムランニングランプ１００では、図４〜図６に示すように、配光制御レンズ３の前側表面３ｂ（図５および図６参照）のうち、領域Ａ２（図４（Ｃ）のハッチング部分）の径方向外側の環状の領域Ａ３（図４（Ｄ）のハッチング部分）内に、配光制御レンズ３の内面反射面３ａ２（図５および図６参照）からの光を出射する出射面３ｂ３（図４（Ｄ）、図５および図６参照）が形成されている。更に、配光制御レンズ３の中心軸線３’（図４（Ａ）、図５および図７参照）から遠ざかる側に進む光Ｌ３２４，Ｌ３０１（図７（Ａ）および図７（Ｂ）参照）を出射する出射部３ｂ３２４，３ｂ３０１（図４（Ｄ）および図５参照）が、出射面３ｂ３（図４（Ｄ）および図５参照）のうち、貫通穴３ａｂ１（図４（Ｂ）および図５参照）の右側の部分に形成されている。
【００９０】
つまり、第１の実施形態のデイタイムランニングランプ１００では、貫通穴３ａｂ１（図４（Ｂ）および図５参照）を形成するのに伴って不足する配光制御レンズ３（図２２参照）の中心軸線３’（図２２参照）から右側に遠ざかりながら進む光Ｌ１０６ａ（図２２（Ａ）および図２２（Ｂ）参照）を補うために、好ましくは光１０６ａ（図２２（Ａ）および図２２（Ｂ）参照）と概略平行な光Ｌ３０１，Ｌ３２４（図７（Ａ）および図７（Ｂ）参照）を出射するための出射部３ｂ３２４，３ｂ３０１（図４（Ｄ）および図５参照）が出射面３ｂ３（図４（Ｄ）および図５参照）に設けられている。
【００９１】
更に、概略円形の領域Ａ１（図４（Ｂ）のハッチング部分）のうち、配光制御レンズ３（図４および図６参照）の中心軸線３’（図４（Ｅ）および図６参照）の上側の部分に、配光制御レンズ３の後側表面３ａ（図６参照）と前側表面３ｂ（図６参照）とを連通する貫通穴３ａｂ２（図４（Ｂ）および図６参照）を形成すると、配光制御レンズ３の中心軸線３’から上側に遠ざかりながら進む光Ｌ１０６ｂ（図２３（Ａ）および図２３（Ｂ）参照）の一部が貫通穴３ａｂ２の径方向内側の内壁面３ａｂ２ａ（図６（Ａ）および図６（Ｂ）参照）によって遮られてしまい、配光制御レンズ３の中心軸線３’から上側に遠ざかりながら進む光Ｌ１０６ｂ（図２３（Ａ）および図２３（Ｂ）参照）が不足してしまうおそれがある。
【００９２】
そこで、第１の実施形態のデイタイムランニングランプ１００では、図４および図６に示すように、配光制御レンズ３の中心軸線３’（図４（Ｅ）、図６および図８参照）から遠ざかる側に進む光Ｌ３０６，Ｌ３０７（図８（Ａ）および図８（Ｂ）参照）を出射する出射部３ｂ３０６，３ｂ３０７（図４（Ｄ）および図６参照）が、出射面３ｂ３（図４（Ｄ）および図６参照）のうち、貫通穴３ａｂ２（図４（Ｂ）および図６参照）の上側の部分に形成されている。
【００９３】
つまり、第１の実施形態のデイタイムランニングランプ１００では、貫通穴３ａｂ２（図４（Ｂ）および図６参照）を形成するのに伴って不足する配光制御レンズ３（図２３参照）の中心軸線３’（図２３参照）から上側に遠ざかりながら進む光Ｌ１０６ｂ（図２３（Ａ）および図２３（Ｂ）参照）を補うために、好ましくは光１０６ｂ（図２３（Ａ）および図２３（Ｂ）参照）と概略平行な光Ｌ３０６，Ｌ３０７（図８（Ａ）および図８（Ｂ）参照）を出射するための出射部３ｂ３０６，３ｂ３０７（図４（Ｄ）および図６参照）が出射面３ｂ３（図４（Ｄ）および図６参照）に設けられている。
【００９４】
また、概略円形の領域Ａ１（図４（Ｂ）のハッチング部分）のうち、配光制御レンズ３（図４および図５参照）の中心軸線３’（図４（Ａ）および図５参照）の左側の部分に、配光制御レンズ３の後側表面３ａ（図５参照）と前側表面３ｂ（図５参照）とを連通する貫通穴３ａｂ３（図４（Ｂ）および図５参照）を形成すると、配光制御レンズ３の中心軸線３’から左側に遠ざかりながら進む光Ｌ１０６ｃ（図２２（Ａ）および図２２（Ｂ）参照）の一部が貫通穴３ａｂ３の径方向内側の内壁面３ａｂ３ａ（図５（Ａ）および図５（Ｂ）参照）によって遮られてしまい、配光制御レンズ３の中心軸線３’から左側に遠ざかりながら進む光Ｌ１０６ｃ（図２２（Ａ）および図２２（Ｂ）参照）が不足してしまうおそれがある。
【００９５】
そこで、第１の実施形態のデイタイムランニングランプ１００では、図４および図５に示すように、配光制御レンズ３の中心軸線３’（図４（Ａ）、図５および図７参照）から遠ざかる側に進む光Ｌ３１２，Ｌ３１３（図７（Ａ）および図７（Ｂ）参照）を出射する出射部３ｂ３１２，３ｂ３１３（図４（Ｄ）および図５参照）が、出射面３ｂ３（図４（Ｄ）および図５参照）のうち、貫通穴３ａｂ３（図４（Ｂ）および図５参照）の左側の部分に形成されている。
【００９６】
つまり、第１の実施形態のデイタイムランニングランプ１００では、貫通穴３ａｂ３（図４（Ｂ）および図５参照）を形成するのに伴って不足する配光制御レンズ３（図２２参照）の中心軸線３’（図２２参照）から左側に遠ざかりながら進む光Ｌ１０６ｃ（図２２（Ａ）および図２２（Ｂ）参照）を補うために、好ましくは光１０６ｃ（図２２（Ａ）および図２２（Ｂ）参照）と概略平行な光Ｌ３１２，Ｌ３１３（図７（Ａ）および図７（Ｂ）参照）を出射するための出射部３ｂ３１２，３ｂ３１３（図４（Ｄ）および図５参照）が出射面３ｂ３（図４（Ｄ）および図５参照）に設けられている。
【００９７】
更に、概略円形の領域Ａ１（図４（Ｂ）のハッチング部分）のうち、配光制御レンズ３（図４および図６参照）の中心軸線３’（図４（Ｅ）および図６参照）の下側の部分に、配光制御レンズ３の後側表面３ａ（図６参照）と前側表面３ｂ（図６参照）とを連通する貫通穴３ａｂ４（図４（Ｂ）および図６参照）を形成すると、配光制御レンズ３の中心軸線３’から下側に遠ざかりながら進む光Ｌ１０６ｄ（図２３（Ａ）および図２３（Ｂ）参照）の一部が貫通穴３ａｂ４の径方向内側の内壁面３ａｂ４ａ（図６（Ａ）および図６（Ｂ）参照）によって遮られてしまい、配光制御レンズ３の中心軸線３’から下側に遠ざかりながら進む光Ｌ１０６ｄ（図２３（Ａ）および図２３（Ｂ）参照）が不足してしまうおそれがある。
【００９８】
そこで、第１の実施形態のデイタイムランニングランプ１００では、図４および図６に示すように、配光制御レンズ３の中心軸線３’（図４（Ｅ）、図６および図８参照）から遠ざかる側に進む光Ｌ３１８，Ｌ３１９（図８（Ａ）および図８（Ｂ）参照）を出射する出射部３ｂ３１８，３ｂ３１９（図４（Ｄ）および図６参照）が、出射面３ｂ３（図４（Ｄ）および図６参照）のうち、貫通穴３ａｂ４（図４（Ｂ）および図６参照）の下側の部分に形成されている。
【００９９】
つまり、第１の実施形態のデイタイムランニングランプ１００では、貫通穴３ａｂ４（図４（Ｂ）および図６参照）を形成するのに伴って不足する配光制御レンズ３（図２３参照）の中心軸線３’（図２３参照）から下側に遠ざかりながら進む光Ｌ１０６ｄ（図２３（Ａ）および図２３（Ｂ）参照）を補うために、好ましくは光１０６ｄ（図２３（Ａ）および図２３（Ｂ）参照）と概略平行な光Ｌ３１８，Ｌ３１９（図８（Ａ）および図８（Ｂ）参照）を出射するための出射部３ｂ３１８，３ｂ３１９（図４（Ｄ）および図６参照）が出射面３ｂ３（図４（Ｄ）および図６参照）に設けられている。
【０１００】
そのため、第１の実施形態のデイタイムランニングランプ１００によれば、配光制御レンズ３（図４（Ｂ）、図５および図６参照）の領域Ａ１（図４（Ｂ）のハッチング部分）に貫通穴３ａｂ１（図４（Ｂ）および図５参照）、貫通穴３ａｂ２（図４（Ｂ）および図６参照）、貫通穴３ａｂ３（図４（Ｂ）および図５参照）および貫通穴３ａｂ４（図４（Ｂ）および図６参照）を形成するのに伴って不足する配光制御レンズ３の領域Ａ１の出射面３ｂ１（図４（Ｂ）、図５および図６参照）からの光Ｌ１０６ａ，Ｌ１０６ｂ，Ｌ１０６ｃ，Ｌ１０６ｄ（図２２および図２３参照）を、配光制御レンズ３の領域Ａ３（図４（Ｄ）のハッチング部分）の出射部３ｂ３２４，３ｂ３０１（図４（Ｄ）、図５（Ａ）および図５（Ｂ）参照）、出射部３ｂ３０６，３ｂ３０７（図４（Ｄ）、図６（Ａ）および図６（Ｂ）参照）、出射部３ｂ３１２，３ｂ３１３（図４（Ｄ）、図５（Ａ）および図５（Ｂ）参照）および出射部３ｂ３１８，３ｂ３１９（図４（Ｄ）、図６（Ａ）および図６（Ｂ）参照）からの光Ｌ３０１，Ｌ３０６，Ｌ３０７，Ｌ３１２，Ｌ３１３，Ｌ３１８，Ｌ３１９，Ｌ３２４（図７および図８参照）によって補うことができる。
【０１０１】
その結果、第１の実施形態のデイタイムランニングランプ１００によれば、基板２（図２および図３参照）の前側表面２ａ（図２および図３参照）と配光制御レンズ３（図１〜図３参照）の後側表面３ａ（図５および図６参照）とによって覆われている発光素子光源１（図２および図３参照）の昇温を十分に抑制しつつ、所望のデイタイムランニングランプ用配光パターンＰ（図９（Ｃ）参照）を形成することができる。
【０１０２】
詳細には、第１の実施形態のデイタイムランニングランプ１００では、比較例のデイタイムランニングランプ１００と同様に、配光制御レンズ３（図４参照）の中心軸線３’（図４（Ａ）および図４（Ｅ）参照）に近づく側に進む光（図示せず）が配光制御レンズ３の出射面３ｂ３（図４（Ｄ）参照）の出射部３ｂ３０２，３ｂ３０３，３ｂ３０４，３ｂ３０５，３ｂ３０８，３ｂ３０９，３ｂ３１０，３ｂ３１１，３ｂ３１４，３ｂ３１５，３ｂ３１６，３ｂ３１７，３ｂ３２０，３ｂ３２１，３ｂ３２２，３ｂ３２３（図４（Ｄ）参照）から照射されるように、かつ、配光制御レンズ３の出射面３ｂ３の出射部３ｂ３０２，３ｂ３０３，３ｂ３０４，３ｂ３０５，３ｂ３０８，３ｂ３０９，３ｂ３１０，３ｂ３１１，３ｂ３１４，３ｂ３１５，３ｂ３１６，３ｂ３１７，３ｂ３２０，３ｂ３２１，３ｂ３２２，３ｂ３２３（図４（Ｄ）参照）からの光（図示せず）によって概略円形の配光パターンＰ２（図９（Ｂ）参照）が形成されるように、配光制御レンズ３の出射面３ｂ３の出射部３ｂ３０２，３ｂ３０３，３ｂ３０４，３ｂ３０５，３ｂ３０８，３ｂ３０９，３ｂ３１０，３ｂ３１１，３ｂ３１４，３ｂ３１５，３ｂ３１６，３ｂ３１７，３ｂ３２０，３ｂ３２１，３ｂ３２２，３ｂ３２３（図４（Ｄ）参照）が設定されている。
【０１０３】
第２の実施形態のデイタイムランニングランプ１００では、代わりに、配光制御レンズ３（図４参照）の中心軸線３’（図４（Ａ）および図４（Ｅ）参照）から遠ざかる側に進む光（図示せず）が配光制御レンズ３の出射面３ｂ３（図４（Ｄ）参照）の出射部３ｂ３０２，３ｂ３０３，３ｂ３０４，３ｂ３０５，３ｂ３０８，３ｂ３０９，３ｂ３１０，３ｂ３１１，３ｂ３１４，３ｂ３１５，３ｂ３１６，３ｂ３１７，３ｂ３２０，３ｂ３２１，３ｂ３２２，３ｂ３２３（図４（Ｄ）参照）から照射されるように、かつ、配光制御レンズ３の出射面３ｂ３の出射部３ｂ３０２，３ｂ３０３，３ｂ３０４，３ｂ３０５，３ｂ３０８，３ｂ３０９，３ｂ３１０，３ｂ３１１，３ｂ３１４，３ｂ３１５，３ｂ３１６，３ｂ３１７，３ｂ３２０，３ｂ３２１，３ｂ３２２，３ｂ３２３（図４（Ｄ）参照）からの光（図示せず）によって例えば横長の概略楕円形の配光パターンＰ１（図９（Ａ）参照）の輪郭部分が形成されるように、配光制御レンズ３の出射面３ｂ３の出射部３ｂ３０２，３ｂ３０３，３ｂ３０４，３ｂ３０５，３ｂ３０８，３ｂ３０９，３ｂ３１０，３ｂ３１１，３ｂ３１４，３ｂ３１５，３ｂ３１６，３ｂ３１７，３ｂ３２０，３ｂ３２１，３ｂ３２２，３ｂ３２３（図４（Ｄ）参照）を設定することも可能である。
【０１０４】
また、第１の実施形態のデイタイムランニングランプ１００では、環状に配列された２４個の出射部３ｂ２０１，３ｂ２０２，３ｂ２０３，３ｂ２０４，３ｂ２０５，３ｂ２０６，３ｂ２０７，３ｂ２０８，３ｂ２０９，３ｂ２１０，３ｂ２１１，３ｂ２１２，３ｂ２１３，３ｂ２１４，３ｂ２１５，３ｂ２１６，３ｂ２１７，３ｂ２１８，３ｂ２１９，３ｂ２２０，３ｂ２２１，３ｂ２２２，３ｂ２２３，３ｂ２２４（図４（Ｃ）参照）によって出射面３ｂ２（図４（Ｃ）参照）が構成され、環状に配列された２４個の出射部３ｂ３０１，３ｂ３０２，３ｂ３０３，３ｂ３０４，３ｂ３０５，３ｂ３０６，３ｂ３０７，３ｂ３０８，３ｂ３０９，３ｂ３１０，３ｂ３１１，３ｂ３１２，３ｂ３１３，３ｂ３１４，３ｂ３１５，３ｂ３１６，３ｂ３１７，３ｂ３１８，３ｂ３１９，３ｂ３２０，３ｂ３２１，３ｂ３２２，３ｂ３２３，３ｂ３２４（図４（Ｄ）参照）によって出射面３ｂ３（図４（Ｄ）参照）が構成されている。
【０１０５】
第３の実施形態のデイタイムランニングランプ１００では、代わりに、１個以上の任意の数の出射部（図示せず）によって出射面３ｂ２（図４（Ｃ）参照）を構成し、１個以上の任意の数の出射部（図示せず）によって出射面３ｂ３（図４（Ｄ）参照）を構成することも可能である。つまり、例えば円錐の側面の一部によって出射部を形成する場合には、１個の環状の出射部によって出射面３ｂ２（図４（Ｃ）参照）または出射面３ｂ３（図４（Ｄ）参照）を構成することができる。
【０１０６】
更に、第１の実施形態のデイタイムランニングランプ１００では、発光素子光源１（図２および図３参照）および配光制御レンズ３（図１〜図３参照）が１組のみ設けられているが、第４の実施形態のデイタイムランニングランプ１００では、代わりに、複数組の発光素子光源１および配光制御レンズ３を設けると共に、複数の配光制御レンズ３を一体的に形成することも可能である。
【０１０７】
次に、本発明のデイタイムランニングランプの第５の実施形態について説明する。第５の実施形態のデイタイムランニングランプ１００では、第１の実施形態のデイタイムランニングランプ１００と同様に、図４、図１２および図１３に示すように、概略円形の領域Ａ１（図４（Ｂ）のハッチング部分）のうち、配光制御レンズ３の中心軸線３’（図４（Ａ）および図１２参照）の右側の部分に、配光制御レンズ３の後側表面３ａ（図１２参照）と前側表面３ｂ（図１２参照）とを連通する幅（図４（Ｂ）の左右方向寸法）約２．５ｍｍ×高さ（図４（Ｂ）の上下方向寸法）約２ｍｍの貫通穴３ａｂ１（図４（Ｂ）および図１２参照）が形成されている。また、概略円形の領域Ａ１（図４（Ｂ）のハッチング部分）のうち、配光制御レンズ３の中心軸線３’（図４（Ｅ）および図１３参照）の上側の部分に、配光制御レンズ３の後側表面３ａ（図１３参照）と前側表面３ｂ（図１３参照）とを連通する幅（図４（Ｂ）の左右方向寸法）約２ｍｍ×高さ（図４（Ｂ）の上下方向寸法）約１．５ｍｍの貫通穴３ａｂ２（図４（Ｂ）および図１３参照）が形成されている。更に、概略円形の領域Ａ１（図４（Ｂ）のハッチング部分）のうち、配光制御レンズ３の中心軸線３’（図４（Ａ）および図１２参照）の左側の部分に、配光制御レンズ３の後側表面３ａ（図１２参照）と前側表面３ｂ（図１２参照）とを連通する幅（図４（Ｂ）の左右方向寸法）約２．５ｍｍ×高さ（図４（Ｂ）の上下方向寸法）約２ｍｍの貫通穴３ａｂ３（図４（Ｂ）および図１２参照）が形成されている。また、概略円形の領域Ａ１（図４（Ｂ）のハッチング部分）のうち、配光制御レンズ３の中心軸線３’（図４（Ｅ）および図１３参照）の下側の部分に、配光制御レンズ３の後側表面３ａ（図１３参照）と前側表面３ｂ（図１３参照）とを連通する幅（図４（Ｂ）の左右方向寸法）約２ｍｍ×高さ（図４（Ｂ）の上下方向寸法）約１．５ｍｍの貫通穴３ａｂ４（図４（Ｂ）および図１３参照）が形成されている。
【０１０８】
そのため、第５の実施形態のデイタイムランニングランプ１００によれば、比較例のデイタイムランニングランプ１００よりも、基板２（図１０および図１１参照）の前側表面２ａ（図１０および図１１参照）と配光制御レンズ３（図１、図１０および図１１参照）の後側表面３ａ（図１２および図１３参照）の入射面３ａ１（図１０および図１１参照）との間の空間内の熱のこもりを抑制することができ、それにより、基板２の前側表面２ａと配光制御レンズ３の後側表面３ａとによって覆われている発光素子光源１（図１０および図１１参照）の昇温を十分に抑制することができる。
【０１０９】
つまり、第５の実施形態のデイタイムランニングランプ１００では、図１、図１０および図１１に示すように、例えばＬＥＤなどのような発光素子光源１（図１０および図１１参照）と、発光素子光源１が搭載された基板２（図１０および図１１参照）と、発光素子光源１からの光を導光する配光制御レンズ３とが設けられている。また、発光素子光源１の光軸１’（図１０および図１１参照）と配光制御レンズ３の中心軸線３’（図１０および図１１参照）とが概略一致し、かつ、発光素子光源１が基板２の前側表面２ａ（図１０および図１１参照）と配光制御レンズ３の後側表面３ａ（図１２および図１３参照）の入射面３ａ１（図１０および図１１参照）とによって覆われるように、発光素子光源１と基板２と配光制御レンズ３とが配置されている。
【０１１０】
詳細には、第５の実施形態のデイタイムランニングランプ１００では、図１０に示すように、例えばスペーサー（図示せず）などを基板２の前側表面２ａと配光制御レンズ３のフランジ部３ｃとの間に配置することにより、基板２の前側表面２ａと配光制御レンズ３の後側表面３ａ（図１２および図１３参照）の最後部３ａ１２との間に例えば約１ｍｍの隙間ｔ１が設けられている。また、光軸１’（中心軸線３’）上における発光素子光源１と配光制御レンズ３の入射面３ａ１との間隔ｔ２が約５ｍｍに設定されている。そのため、第５の実施形態のデイタイムランニングランプ１００によれば、基板２の前側表面２ａと配光制御レンズ３の後側表面３ａの最後部３ａ１２との間に隙間ｔ１が設けられていない特許文献１の図２に記載されたデイタイムランニングランプよりも、基板２の前側表面２ａと配光制御レンズ３の後側表面３ａとによって覆われている発光素子光源１の昇温を抑制することができる。
【０１１１】
また、第５の実施形態のデイタイムランニングランプ１００では、図１０および図１１に示すように、発光素子光源１が発生した熱がヒートシンク４の放熱フィン４ａ（図１０参照）から放熱されるように、基板２がヒートシンク４に接続されている。更に、例えばブラケット５などのような接合部材を介してヒートシンク４がハウジング１００ａに接続されている。つまり、発光素子光源１、基板２、配光制御レンズ３、ヒートシンク４およびブラケット５が、ハウジング１００ａとアウターレンズ１００ｂとによって画定される灯室１００ｃ内に収容されている。
【０１１２】
更に、第５の実施形態のデイタイムランニングランプ１００では、図１２および図１３に示すように、発光素子光源１（図１０および図１１参照）からの光が入射する入射面３ａ１が、配光制御レンズ３の後側表面３ａに形成されている。また、配光制御レンズ３の入射面３ａ１からの光を内面反射する内面反射面３ａ２が配光制御レンズ３の後側表面３ａに形成されている。更に、図１４および図１５に示すように、配光制御レンズ３の内面反射面３ａ２からの反射光が配光制御レンズ３の中心軸線３’に概略平行な光になるように、配光制御レンズ３の入射面３ａ１および内面反射面３ａ２が設定されている。
【０１１３】
また、第５の実施形態のデイタイムランニングランプ１００では、図４（Ｂ）、図１２および図１３に示すように、配光制御レンズ３の前側表面３ｂ（図１２および図１３参照）のうち、配光制御レンズ３の中心軸線３’（図１２および図１３参照）を中心とする概略円形の領域Ａ１（図４（Ｂ）のハッチング部分）内に、配光制御レンズ３の入射面３ａ１からの光を出射する出射面３ｂ１が形成されている。更に、正面図（図４（Ｂ））における外形形状が円形の出射部３ｂ１０１（図４（Ｂ）、図１２および図１３参照）が出射面３ｂ１に設けられている。また、出射部３ｂ１０１の周りに位置する４個の貫通穴３ａｂ１，３ａｂ２，３ａｂ３，３ａｂ４（図４（Ｂ）、図１２および図１３参照）と出射部３ｂ１０２，３ｂ１０３，３ｂ１０４，３ｂ１０５（図４（Ｂ）参照）とが出射面３ｂ１に設けられている。
【０１１４】
具体的には、第５の実施形態のデイタイムランニングランプ１００の出射部３ｂ１０１（図４（Ｂ）、図１２および図１３参照）が、第１の実施形態のデイタイムランニングランプ１００の出射部３ｂ１０１（図４（Ｂ）、図５および図６参照）と同様に構成されている。更に、第５の実施形態のデイタイムランニングランプ１００の４個の出射部３ｂ１０２，３ｂ１０３，３ｂ１０４，３ｂ１０５（図４（Ｂ）参照）が、第１の実施形態のデイタイムランニングランプ１００の４個の出射部３ｂ１０２，３ｂ１０３，３ｂ１０４，３ｂ１０５（図４（Ｂ）参照）と同様に構成されている。
【０１１５】
詳細には、第５の実施形態のデイタイムランニングランプ１００では、図１４および図１５に示すように、配光制御レンズ３の中心軸線３’上を進む光Ｌ１０１ａおよび配光制御レンズ３の中心軸線３’から遠ざかる側に進む光Ｌ１０１ｂ，Ｌ１０１ｃ，Ｌ１０１ｄ，Ｌ１０１ｅが配光制御レンズ３の出射面３ｂ１（図４（Ｂ）、図１２および図１３参照）の出射部３ｂ１０１（図４（Ｂ）、図１２および図１３参照）から照射されると共に、配光制御レンズ３の中心軸線３’から遠ざかる側に進む光（図示せず）が配光制御レンズ３の出射面３ｂ１の出射部３ｂ１０２，３ｂ１０３，３ｂ１０４，３ｂ１０５（図４（Ｂ）参照）から照射されるように、かつ、配光制御レンズ３の出射面３ｂ１の出射部３ｂ１０１からの光Ｌ１０１ａ，Ｌ１０１ｂ，Ｌ１０１ｃ，Ｌ１０１ｄ，Ｌ１０１ｅおよび出射部３ｂ１０２，３ｂ１０３，３ｂ１０４，３ｂ１０５からの光（図示せず）によって横長の概略楕円形の配光パターンＰ１（図９（Ａ）参照）が形成されるように、配光制御レンズ３の出射面３ｂ１の出射部３ｂ１０１，３ｂ１０２，３ｂ１０３，３ｂ１０４，３ｂ１０５が設定されている。
【０１１６】
更に詳細には、第５の実施形態のデイタイムランニングランプ１００では、配光制御レンズ３（図４、図１２および図１３参照）の出射面３ｂ１（図４（Ｂ）、図１２および図１３参照）の出射部３ｂ１０２，３ｂ１０３，３ｂ１０４，３ｂ１０５（図４（Ｂ）参照）からの光（図示せず）によって横長の概略楕円形の配光パターンＰ１（図９（Ａ）参照）の輪郭部分が形成される。更に、その輪郭部分の内側の部分が、配光制御レンズ３の出射面３ｂ１の出射部３ｂ１０１（図４（Ｂ）、図１２および図１３参照）からの配光制御レンズ３の中心軸線３’（図１４および図１５参照）上を進む光Ｌ１０１ａ（図１４および図１５参照）および配光制御レンズ３の中心軸線３’から遠ざかる側に進む光Ｌ１０１ｂ，Ｌ１０１ｃ，Ｌ１０１ｄ，Ｌ１０１ｅ（図１４および図１５参照）によって形成される。
【０１１７】
ところで、概略円形の領域Ａ１（図４（Ｂ）のハッチング部分）のうち、配光制御レンズ３（図１２および図１３参照）の中心軸線３’（図４（Ａ）および図１２参照）の右側の部分に、配光制御レンズ３の後側表面３ａ（図１２参照）と前側表面３ｂ（図１２参照）とを連通する貫通穴３ａｂ１（図４（Ｂ）および図１２参照）を形成すると、配光制御レンズ３の中心軸線３’から右側に遠ざかりながら進む光Ｌ１０６ａ（図２２（Ａ）および図２２（Ｂ）参照）の一部が貫通穴３ａｂ１の径方向内側の内壁面３ａｂ１ａ（図１２（Ａ）および図１２（Ｂ）参照）によって遮られてしまい、配光制御レンズ３の中心軸線３’から右側に遠ざかりながら進む光Ｌ１０６ａ（図２２（Ａ）および図２２（Ｂ）参照）が不足してしまうおそれがある。
【０１１８】
そこで、第５の実施形態のデイタイムランニングランプ１００では、図４、図１２および図１３に示すように、配光制御レンズ３の前側表面３ｂ（図１２および図１３参照）のうち、領域Ａ１（図４（Ｂ）のハッチング部分）の径方向外側の環状の領域Ａ２（図４（Ｃ）のハッチング部分）内に、配光制御レンズ３の内面反射面３ａ２（図１２および図１３参照）からの光を出射する出射面３ｂ２（図４（Ｃ）、図１２および図１３参照）が形成されている。更に、配光制御レンズ３の中心軸線３’（図４（Ａ）、図１２および図１４参照）から遠ざかる側に進む光Ｌ２２４，Ｌ２０１（図１４（Ａ）および図１４（Ｂ）参照）を出射する出射部３ｂ２２４，３ｂ２０１（図４（Ｃ）および図１２参照）が、出射面３ｂ２（図４（Ｃ）および図１２参照）のうち、貫通穴３ａｂ１（図４（Ｂ）および図１２参照）の右側の部分に形成されている。
【０１１９】
つまり、第５の実施形態のデイタイムランニングランプ１００では、貫通穴３ａｂ１（図４（Ｂ）および図１２参照）を形成するのに伴って不足する配光制御レンズ３（図２２参照）の中心軸線３’（図２２参照）から右側に遠ざかりながら進む光Ｌ１０６ａ（図２２（Ａ）および図２２（Ｂ）参照）を補うために、好ましくは光１０６ａ（図２２（Ａ）および図２２（Ｂ）参照）と概略平行な光Ｌ２０１，Ｌ２２４（図１４（Ａ）および図１４（Ｂ）参照）を出射するための出射部３ｂ２２４，３ｂ２０１（図４（Ｃ）および図１２参照）が出射面３ｂ２（図４（Ｃ）および図１２参照）に設けられている。
【０１２０】
更に、概略円形の領域Ａ１（図４（Ｂ）のハッチング部分）のうち、配光制御レンズ３（図４および図１３参照）の中心軸線３’（図４（Ｅ）および図１３参照）の上側の部分に、配光制御レンズ３の後側表面３ａ（図１３参照）と前側表面３ｂ（図１３参照）とを連通する貫通穴３ａｂ２（図４（Ｂ）および図１３参照）を形成すると、配光制御レンズ３の中心軸線３’から上側に遠ざかりながら進む光Ｌ１０６ｂ（図２３（Ａ）および図２３（Ｂ）参照）の一部が貫通穴３ａｂ２の径方向内側の内壁面３ａｂ２ａ（図１３（Ａ）および図１３（Ｂ）参照）によって遮られてしまい、配光制御レンズ３の中心軸線３’から上側に遠ざかりながら進む光Ｌ１０６ｂ（図２３（Ａ）および図２３（Ｂ）参照）が不足してしまうおそれがある。
【０１２１】
そこで、第５の実施形態のデイタイムランニングランプ１００では、図４および図１３に示すように、配光制御レンズ３の中心軸線３’（図４（Ｅ）、図１３および図１５参照）から遠ざかる側に進む光Ｌ２０６，Ｌ２０７（図１５（Ａ）および図１５（Ｂ）参照）を出射する出射部３ｂ２０６，３ｂ２０７（図４（Ｃ）および図１３参照）が、出射面３ｂ２（図４（Ｃ）および図１３参照）のうち、貫通穴３ａｂ２（図４（Ｂ）および図１３参照）の上側の部分に形成されている。
【０１２２】
つまり、第５の実施形態のデイタイムランニングランプ１００では、貫通穴３ａｂ２（図４（Ｂ）および図１３参照）を形成するのに伴って不足する配光制御レンズ３（図２３参照）の中心軸線３’（図２３参照）から上側に遠ざかりながら進む光Ｌ１０６ｂ（図２３（Ａ）および図２３（Ｂ）参照）を補うために、好ましくは光１０６ｂ（図２３（Ａ）および図２３（Ｂ）参照）と概略平行な光Ｌ２０６，Ｌ２０７（図１５（Ａ）および図１５（Ｂ）参照）を出射するための出射部３ｂ２０６，３ｂ２０７（図４（Ｃ）および図１３参照）が出射面３ｂ２（図４（Ｃ）および図１３参照）に設けられている。
【０１２３】
また、概略円形の領域Ａ１（図４（Ｂ）のハッチング部分）のうち、配光制御レンズ３（図４および図１２参照）の中心軸線３’（図４（Ａ）および図１２参照）の左側の部分に、配光制御レンズ３の後側表面３ａ（図１２参照）と前側表面３ｂ（図１２参照）とを連通する貫通穴３ａｂ３（図４（Ｂ）および図１２参照）を形成すると、配光制御レンズ３の中心軸線３’から左側に遠ざかりながら進む光Ｌ１０６ｃ（図２２（Ａ）および図２２（Ｂ）参照）の一部が貫通穴３ａｂ３の径方向内側の内壁面３ａｂ３ａ（図１２（Ａ）および図１２（Ｂ）参照）によって遮られてしまい、配光制御レンズ３の中心軸線３’から左側に遠ざかりながら進む光Ｌ１０６ｃ（図２２（Ａ）および図２２（Ｂ）参照）が不足してしまうおそれがある。
【０１２４】
そこで、第５の実施形態のデイタイムランニングランプ１００では、図４および図１２に示すように、配光制御レンズ３の中心軸線３’（図４（Ａ）、図１２および図１４参照）から遠ざかる側に進む光Ｌ２１２，Ｌ２１３（図１４（Ａ）および図１４（Ｂ）参照）を出射する出射部３ｂ２１２，３ｂ２１３（図４（Ｃ）および図１２参照）が、出射面３ｂ２（図４（Ｃ）および図１２参照）のうち、貫通穴３ａｂ３（図４（Ｂ）および図１２参照）の左側の部分に形成されている。
【０１２５】
つまり、第５の実施形態のデイタイムランニングランプ１００では、貫通穴３ａｂ３（図４（Ｂ）および図１２参照）を形成するのに伴って不足する配光制御レンズ３（図２２参照）の中心軸線３’（図２２参照）から左側に遠ざかりながら進む光Ｌ１０６ｃ（図２２（Ａ）および図２２（Ｂ）参照）を補うために、好ましくは光１０６ｃ（図２２（Ａ）および図２２（Ｂ）参照）と概略平行な光Ｌ２１２，Ｌ２１３（図１４（Ａ）および図１４（Ｂ）参照）を出射するための出射部３ｂ２１２，３ｂ２１３（図４（Ｃ）および図１２参照）が出射面３ｂ２（図４（Ｃ）および図１２参照）に設けられている。
【０１２６】
更に、概略円形の領域Ａ１（図４（Ｂ）のハッチング部分）のうち、配光制御レンズ３（図４および図１３参照）の中心軸線３’（図４（Ｅ）および図１３参照）の下側の部分に、配光制御レンズ３の後側表面３ａ（図１３参照）と前側表面３ｂ（図１３参照）とを連通する貫通穴３ａｂ４（図４（Ｂ）および図１３参照）を形成すると、配光制御レンズ３の中心軸線３’から下側に遠ざかりながら進む光Ｌ１０６ｄ（図２３（Ａ）および図２３（Ｂ）参照）の一部が貫通穴３ａｂ４の径方向内側の内壁面３ａｂ４ａ（図１３（Ａ）および図１３（Ｂ）参照）によって遮られてしまい、配光制御レンズ３の中心軸線３’から下側に遠ざかりながら進む光Ｌ１０６ｄ（図２３（Ａ）および図２３（Ｂ）参照）が不足してしまうおそれがある。
【０１２７】
そこで、第５の実施形態のデイタイムランニングランプ１００では、図４および図１３に示すように、配光制御レンズ３の中心軸線３’（図４（Ｅ）、図１３および図１５参照）から遠ざかる側に進む光Ｌ２１８，Ｌ２１９（図１５（Ａ）および図１５（Ｂ）参照）を出射する出射部３ｂ２１８，３ｂ２１９（図４（Ｃ）および図１３参照）が、出射面３ｂ３（図４（Ｃ）および図１３参照）のうち、貫通穴３ａｂ４（図４（Ｂ）および図１３参照）の下側の部分に形成されている。
【０１２８】
つまり、第５の実施形態のデイタイムランニングランプ１００では、貫通穴３ａｂ４（図４（Ｂ）および図１３参照）を形成するのに伴って不足する配光制御レンズ３（図２３参照）の中心軸線３’（図２３参照）から下側に遠ざかりながら進む光Ｌ１０６ｄ（図２３（Ａ）および図２３（Ｂ）参照）を補うために、好ましくは光１０６ｄ（図２３（Ａ）および図２３（Ｂ）参照）と概略平行な光Ｌ２１８，Ｌ２１９（図１５（Ａ）および図１５（Ｂ）参照）を出射するための出射部３ｂ２１８，３ｂ２１９（図４（Ｃ）および図１３参照）が出射面３ｂ２（図４（Ｃ）および図１３参照）に設けられている。
【０１２９】
そのため、第５の実施形態のデイタイムランニングランプ１００によれば、配光制御レンズ３（図４（Ｂ）、図１２および図１３参照）の領域Ａ１（図４（Ｂ）のハッチング部分）に貫通穴３ａｂ１（図４（Ｂ）および図１２参照）、貫通穴３ａｂ２（図４（Ｂ）および図１３参照）、貫通穴３ａｂ３（図４（Ｂ）および図１２参照）および貫通穴３ａｂ４（図４（Ｂ）および図１３参照）を形成するのに伴って不足する配光制御レンズ３の領域Ａ１の出射面３ｂ１（図４（Ｂ）、図１２および図１３参照）からの光Ｌ１０６ａ，Ｌ１０６ｂ，Ｌ１０６ｃ，Ｌ１０６ｄ（図２２および図２３参照）を、配光制御レンズ３の領域Ａ２（図４（Ｃ）のハッチング部分）の出射部３ｂ２２４，３ｂ２０１（図４（Ｃ）、図１２（Ａ）および図１２（Ｂ）参照）、出射部３ｂ２０６，３ｂ２０７（図４（Ｃ）、図１３（Ａ）および図１３（Ｂ）参照）、出射部３ｂ２１２，３ｂ２１３（図４（Ｃ）、図１２（Ａ）および図１２（Ｂ）参照）および出射部３ｂ２１８，３ｂ２１９（図４（Ｃ）、図１３（Ａ）および図１３（Ｂ）参照）からの光Ｌ２０１，Ｌ２０６，Ｌ２０７，Ｌ２１２，Ｌ２１３，Ｌ２１８，Ｌ２１９，Ｌ２２４（図１４および図１５参照）によって補うことができる。
【０１３０】
更に、第５の実施形態のデイタイムランニングランプ１００では、図４、図１２および図１３に示すように、配光制御レンズ３の前側表面３ｂ（図１２および図１３参照）のうち、領域Ａ２（図４（Ｃ）のハッチング部分）の径方向外側の環状の領域Ａ３（図４（Ｄ）のハッチング部分）内に、配光制御レンズ３の内面反射面３ａ２（図１２および図１３参照）からの光を出射する出射面３ｂ３（図４（Ｄ）、図１２および図１３参照）が形成されている。詳細には、第５の実施形態のデイタイムランニングランプ１００では、図４（Ｄ）に示すように、環状に配列された２４個の出射部３ｂ３０１，３ｂ３０２，３ｂ３０３，３ｂ３０４，３ｂ３０５，３ｂ３０６，３ｂ３０７，３ｂ３０８，３ｂ３０９，３ｂ３１０，３ｂ３１１，３ｂ３１２，３ｂ３１３，３ｂ３１４，３ｂ３１５，３ｂ３１６，３ｂ３１７，３ｂ３１８，３ｂ３１９，３ｂ３２０，３ｂ３２１，３ｂ３２２，３ｂ３２３，３ｂ３２４によって出射面３ｂ３が構成されている。更に、各出射部３ｂ３０１，３ｂ３０２，…，３ｂ３２３，３ｂ３２４が、中心軸線３’を中心に１５°回転対称に形成されている。
【０１３１】
また、第５の実施形態のデイタイムランニングランプ１００では、図１４および図１５に示すように、配光制御レンズ３の中心軸線３’に近づく側に進む光Ｌ３０１，Ｌ３０６，Ｌ３０７，Ｌ３１２，Ｌ３１３，Ｌ３１８，Ｌ３１９，Ｌ３２４が配光制御レンズ３の出射面３ｂ３（図４（Ｄ）、図１２および図１３参照）の出射部３ｂ３０１，３ｂ３０２，…，３ｂ３２３，３ｂ３２４（図４（Ｄ）、図１２および図１３参照）から照射されるように、かつ、配光制御レンズ３の出射面３ｂ３の出射部３ｂ３０１，３ｂ３０２，…，３ｂ３２３，３ｂ３２４からの光Ｌ３０１，Ｌ３０６，Ｌ３０７，Ｌ３１２，Ｌ３１３，Ｌ３１８，Ｌ３１９，Ｌ３２４によって概略円形の配光パターンＰ２（図９（Ｂ）参照）が形成されるように、配光制御レンズ３の出射面３ｂ３の出射部３ｂ３０１，３ｂ３０２，…，３ｂ３２３，３ｂ３２４が設定されている。
【０１３２】
つまり、第５の実施形態のデイタイムランニングランプ１００では、配光制御レンズ３（図４、図１２および図１３参照）の出射面３ｂ１（図４（Ｂ）、図１２および図１３参照）の出射部３ｂ１０１，３ｂ１０２，３ｂ１０３，３ｂ１０４，３ｂ１０５（図４（Ｂ）参照）からの光Ｌ１０１ａ，Ｌ１０１ｂ，Ｌ１０１ｃ，Ｌ１０１ｄ，Ｌ１０１ｅ（図１４および図１５参照）によって形成される横長の概略楕円形の配光パターンＰ１（図９（Ａ）参照）と、配光制御レンズ３の出射面３ｂ３（図４（Ｄ）、図１２および図１３参照）の出射部３ｂ３０１，３ｂ３０２，…，３ｂ３２３，３ｂ３２４（図４（Ｄ）、図１２および図１３参照）からの光Ｌ３０１，Ｌ３０６，Ｌ３０７，Ｌ３１２，Ｌ３１３，Ｌ３１８，Ｌ３１９，Ｌ３２４（図１４および図１５参照）によって形成される概略円形の配光パターンＰ２（図９（Ｂ）参照）とを重ね合わせることにより、デイタイムランニングランプ配光規格を満足するデイタイムランニングランプ用配光パターンＰ（図９（Ｃ）参照）が形成される。
【０１３３】
その結果、第５の実施形態のデイタイムランニングランプ１００によれば、基板２（図１０および図１１参照）の前側表面２ａ（図１０および図１１参照）と配光制御レンズ３（図１、図１０および図１１参照）の後側表面３ａ（図１２および図１３参照）とによって覆われている発光素子光源１（図１０および図１１参照）の昇温を十分に抑制しつつ、所望のデイタイムランニングランプ用配光パターンＰ（図９（Ｃ）参照）を形成することができる。
【０１３４】
詳細には、第５の実施形態のデイタイムランニングランプ１００では、比較例のデイタイムランニングランプ１００と同様に、配光制御レンズ３（図４参照）の中心軸線３’（図４（Ａ）および図４（Ｅ）参照）に近づく側に進む光（図示せず）が配光制御レンズ３の出射面３ｂ２（図４（Ｃ）参照）の出射部３ｂ２０２，３ｂ２０３，３ｂ２０４，３ｂ２０５，３ｂ２０８，３ｂ２０９，３ｂ２１０，３ｂ２１１，３ｂ２１４，３ｂ２１５，３ｂ２１６，３ｂ２１７，３ｂ２２０，３ｂ２２１，３ｂ２２２，３ｂ２２３（図４（Ｃ）参照）から照射されるように、かつ、配光制御レンズ３の出射面３ｂ２の出射部３ｂ２０２，３ｂ２０３，３ｂ２０４，３ｂ２０５，３ｂ２０８，３ｂ２０９，３ｂ２１０，３ｂ２１１，３ｂ２１４，３ｂ２１５，３ｂ２１６，３ｂ２１７，３ｂ２２０，３ｂ２２１，３ｂ２２２，３ｂ２２３（図４（Ｃ）参照）からの光（図示せず）によって概略円形の配光パターンＰ２（図９（Ｂ）参照）が形成されるように、配光制御レンズ３の出射面３ｂ２の出射部３ｂ２０２，３ｂ２０３，３ｂ２０４，３ｂ２０５，３ｂ２０８，３ｂ２０９，３ｂ２１０，３ｂ２１１，３ｂ２１４，３ｂ２１５，３ｂ２１６，３ｂ２１７，３ｂ２２０，３ｂ２２１，３ｂ２２２，３ｂ２２３（図４（Ｃ）参照）が設定されている。
【０１３５】
第６の実施形態のデイタイムランニングランプ１００では、代わりに、配光制御レンズ３（図４参照）の中心軸線３’（図４（Ａ）および図４（Ｅ）参照）から遠ざかる側に進む光（図示せず）が配光制御レンズ３の出射面３ｂ２（図４（Ｃ）参照）の出射部３ｂ２０２，３ｂ２０３，３ｂ２０４，３ｂ２０５，３ｂ２０８，３ｂ２０９，３ｂ２１０，３ｂ２１１，３ｂ２１４，３ｂ２１５，３ｂ２１６，３ｂ２１７，３ｂ２２０，３ｂ２２１，３ｂ２２２，３ｂ２２３（図４（Ｃ）参照）から照射されるように、かつ、配光制御レンズ３の出射面３ｂ２の出射部３ｂ２０２，３ｂ２０３，３ｂ２０４，３ｂ２０５，３ｂ２０８，３ｂ２０９，３ｂ２１０，３ｂ２１１，３ｂ２１４，３ｂ２１５，３ｂ２１６，３ｂ２１７，３ｂ２２０，３ｂ２２１，３ｂ２２２，３ｂ２２３（図４（Ｃ）参照）からの光（図示せず）によって例えば横長の概略楕円形の配光パターンＰ１（図９（Ａ）参照）の輪郭部分が形成されるように、配光制御レンズ３の出射面３ｂ２の出射部３ｂ２０２，３ｂ２０３，３ｂ２０４，３ｂ２０５，３ｂ２０８，３ｂ２０９，３ｂ２１０，３ｂ２１１，３ｂ２１４，３ｂ２１５，３ｂ２１６，３ｂ２１７，３ｂ２２０，３ｂ２２１，３ｂ２２２，３ｂ２２３（図４（Ｃ）参照）を設定することも可能である。
【０１３６】
また、第５の実施形態のデイタイムランニングランプ１００では、環状に配列された２４個の出射部３ｂ２０１，３ｂ２０２，３ｂ２０３，３ｂ２０４，３ｂ２０５，３ｂ２０６，３ｂ２０７，３ｂ２０８，３ｂ２０９，３ｂ２１０，３ｂ２１１，３ｂ２１２，３ｂ２１３，３ｂ２１４，３ｂ２１５，３ｂ２１６，３ｂ２１７，３ｂ２１８，３ｂ２１９，３ｂ２２０，３ｂ２２１，３ｂ２２２，３ｂ２２３，３ｂ２２４（図４（Ｃ）参照）によって出射面３ｂ２（図４（Ｃ）参照）が構成され、環状に配列された２４個の出射部３ｂ３０１，３ｂ３０２，３ｂ３０３，３ｂ３０４，３ｂ３０５，３ｂ３０６，３ｂ３０７，３ｂ３０８，３ｂ３０９，３ｂ３１０，３ｂ３１１，３ｂ３１２，３ｂ３１３，３ｂ３１４，３ｂ３１５，３ｂ３１６，３ｂ３１７，３ｂ３１８，３ｂ３１９，３ｂ３２０，３ｂ３２１，３ｂ３２２，３ｂ３２３，３ｂ３２４（図４（Ｄ）参照）によって出射面３ｂ３（図４（Ｄ）参照）が構成されている。
【０１３７】
第７の実施形態のデイタイムランニングランプ１００では、代わりに、１個以上の任意の数の出射部（図示せず）によって出射面３ｂ２（図４（Ｃ）参照）を構成し、１個以上の任意の数の出射部（図示せず）によって出射面３ｂ３（図４（Ｄ）参照）を構成することも可能である。つまり、例えば円錐の側面の一部によって出射部を形成する場合には、１個の環状の出射部によって出射面３ｂ２（図４（Ｃ）参照）または出射面３ｂ３（図４（Ｄ）参照）を構成することができる。
【０１３８】
更に、第５の実施形態のデイタイムランニングランプ１００では、発光素子光源１（図１０および図１１参照）および配光制御レンズ３（図１、図１０および図１１参照）が１組のみ設けらているが、第８の実施形態のデイタイムランニングランプ１００では、代わりに、複数組の発光素子光源１および配光制御レンズ３を設けると共に、複数の配光制御レンズ３を一体的に形成することも可能である。
【０１３９】
第９の実施形態では、上述した第１から第８の実施形態を適宜組み合わせることも可能である。
【符号の説明】
【０１４０】
１                      発光素子光源
１’                    光軸
２                      基板
２ａ                    前側表面
３                      配光制御レンズ
３’                    中心軸線
３ａ                    後側表面
３ａ１                  入射面
３ａ１２                最後部
３ａ２                  内面反射面
３ｂ                    前側表面
３ｂ１，３ｂ２，３ｂ３  出射面
３ｂ３０１，３ｂ３０６  出射部
３ｂ３０７，３ｂ３１２  出射部
３ｂ３１３，３ｂ３１８  出射部
３ｂ３１９，３ｂ３２４  出射部
３ａｂ１，３ａｂ２      貫通穴
３ａｂ３，３ａｂ４      貫通穴
１００                  デイタイムランニングランプ
Ａ１，Ａ２，Ａ３        領域
【図１】
0005463158.tif 000002
【図２】
0005463158.tif 000003
【図３】
0005463158.tif 000004
【図４】
0005463158.tif 000005
【図５】
0005463158.tif 000006
【図６】
0005463158.tif 000007
【図７】
0005463158.tif 000008
【図８】
0005463158.tif 000009
【図９】
0005463158.tif 000010
【図１０】
0005463158.tif 000011
【図１１】
0005463158.tif 000012
【図１２】
0005463158.tif 000013
【図１３】
0005463158.tif 000014
【図１４】
0005463158.tif 000015
【図１５】
0005463158.tif 000016
【図１６】
0005463158.tif 000017
【図１７】
0005463158.tif 000018
【図１８】
0005463158.tif 000019
【図１９】
0005463158.tif 000020
【図２０】
0005463158.tif 000021
【図２１】
0005463158.tif 000022
【図２２】
0005463158.tif 000023
【図２３】
0005463158.tif 000024